(57)【要約】  廃棄物処理装置及び方法が提供される。この装置は、ハウジングと、ふたと、バケツフレームと、１対の部材と、フットペダルとを有する。フットペダルは、このフットペダルが上側位置にあるとき、ふたが閉位置にあり、かつ１対の部材が非使用位置にあるように、ふた及び１対の部材と動作的に関連している。さらに、フットペダルは、このフットペダルが下側位置にあるとき、ふたが開位置にあり、かつ前記１対の部材が使用位置にあるように、ふた及び１対の部材と動作的に関連している。
2011504439.tif 000002
【特許請求の範囲】
【請求項１】
開口端と閉塞端とを有するライナ素材内に廃棄物を集めるための廃棄物処理装置であって、
内側保管領域へのアクセスを可能にする開口を有するハウジングと、
開位置と閉位置との間の動きのために、前記開口のところで前記ハウジングに枢動可能に取着されたふたと、
前記開口のところに位置されたバケツフレームと、
使用位置と非使用位置との間の動きのために、前記バケツフレームに枢動可能に取着された１対の部材と、
上側位置と下側位置との間の動きのために、前記ハウジングに枢動可能に取着されたフットペダルと、を具備し、
前記フットペダルは、このフットペダルが前記上側位置にあるとき、前記ふたが前記閉位置にあり、かつ前記１対の部材が前記非使用位置にあるように、前記ふた及び１対の部材と動作的に関連しており、また、
前記フットペダルは、このフットペダルが前記下側位置にあるとき、前記ふたが前記開位置にあり、かつ前記１対の部材が前記使用位置にあるように、前記ふた及び１対の部材と動作的に関連している廃棄物処理装置。
【請求項２】
前記バケツフレームは、前記ライナ素材の前記閉塞端が前記１対の部材の下にあるように、前記ライナ素材が前記１対の部材の間に延びた状態で、前記１対の部材の上に、前記ライナ素材の前記開口端を取着する請求項１の廃棄物処理装置。
【請求項３】
前記１対の部材は、前記使用位置において、前記１対の部材の間に延びた前記ライナ素材の第１のピンチクロージャを形成し、また、
前記１対の部材は、前記非使用位置において、前記１対の部材の間に延びた前記ライナ素材の第２のピンチクロージャを形成する請求項２の廃棄物処理装置。
【請求項４】
前記１対の部材を前記非使用位置に通常付勢するために、前記１対の部材と動作的に関連している少なくとも１つの付勢部材をさらに具備する請求項３の廃棄物処理装置。
【請求項５】
前記１対の部材は、前記少なくとも１つの付勢部材が、前記フットペダルを前記上側位置に、かつ前記ふたを前記閉位置に通常付勢するように、前記フットペダル及びふたと動作的に関連している請求項４の廃棄物処理装置。
【請求項６】
カセットをさらに具備し、
このカセットは、カセットから回収するためのライナ素材の所定の長さ部分を収容するように構成されており、
前記バケツフレームは、内部に前記カセットを取り外し可能に受けるように構成されている請求項２の廃棄物処理装置。
【請求項７】
前記１対の部材は、前記ライナ素材の圧力感知接着システムを動作させるのに十分な圧力で、前記ライナ素材の前記第１のピンチクロージャを形成する請求項６の廃棄物処理装置。
【請求項８】
前記１対の部材は、前記ライナ素材の圧力感知接着システムを動作させるのに十分な圧力で、前記ライナ素材の前記第２のピンチクロージャを形成する請求項７の廃棄物処理装置。
【請求項９】
前記１対の部材は、前記ライナ素材の圧力感知接着システムを動作させるのに十分な圧力で、前記ライナ素材の前記第２のピンチクロージャを形成する請求項６の廃棄物処理装置。
【請求項１０】
前記１対の部材は、前記ライナ素材の圧力感知接着システムを動作させるのに十分な圧力で、前記ライナ素材の前記第２のピンチクロージャを形成する請求項９の廃棄物処理装置。
【請求項１１】
前記１対の部材を前記非使用位置に通常付勢するために、前記１対の部材の各々と動作的に関連している少なくとも１つの付勢部材をさらに具備する請求項１の廃棄物処理装置。
【請求項１２】
前記１対の部材は、前記少なくとも１つの付勢部材が、前記フットペダルを前記上側位置に、かつ前記ふたを前記閉位置に通常付勢するように、前記フットペダル及びふたと動作的に関連している請求項１１の廃棄物処理装置。
【請求項１３】
前記１対の部材の少なくとも１つが前記非使用位置にないとき、インジケータ装置を駆動させる報知システムをさらに具備する請求項１の廃棄物処理装置。
【請求項１４】
前記報知システムは、
電源と、
前記電源の使用を最小にするように構成された回路と、をさらに有する請求項１３の廃棄物処理装置。
【請求項１５】
前記ふたが前記閉位置にあるが、前記１対の部材の少なくとも１つが前記非使用位置にないとき、インジケータ装置を駆動させる報知システムをさらに具備する請求項１の廃棄物処理装置。
【請求項１６】
前記報知システムは、
電源と、
前記電源の使用を最小にするように構成された回路と、をさらに有する請求項１５の廃棄物処理装置。
【請求項１７】
前記ハウジング、前記ふた、前記バケツフレーム、前記１対の部材、前記フットペダル及びこれらの組合せからなるグループから選択された構成要素の材料に直接組み込まれた抗菌添加剤をさらに含む請求項１の廃棄物処理装置。
【請求項１８】
前記抗菌添加剤は、銅、銀及びこれらの組合せからなるグループから選択された重金属を含む請求項１７の廃棄物処理装置。
【請求項１９】
前記内側保管領域内にライナカッタをさらに具備する請求項１の廃棄物処理装置。
【請求項２０】
前記第１のピンチクロージャは、約０．５ポンド（約２２６．８グラム）ないし約５ポンド（約２．２６８キログラム）のクロージング力を有する請求項３の廃棄物処理装置。
【請求項２１】
前記第１のピンチクロージャは、約１．２５ポンド（約５６７グラム）ないし約２ポンド（約９０７．２グラム）のクロージング力を有する請求項３の廃棄物処理装置。
【請求項２２】
前記第１のピンチクロージャは、約０．２５平方インチ（約１．６１３平方センチメートル）ないし約０．５平方インチ（約３．２２６平方センチメートル）の表面積を有するシールを与える請求項３の廃棄物処理装置。
【請求項２３】
前記第１のピンチクロージャは、約０．３７５平方インチ（約２．４２０平方センチメートル）の表面積を有するシールを与える請求項３の廃棄物処理装置。
【請求項２４】
前記第２のピンチクロージャは、約０．５ポンド（約２２６．８グラム）ないし約５ポンド（約２．２６８キログラム）のクロージング力を有する請求項３の廃棄物処理装置。
【請求項２５】
前記第２のピンチクロージャは、約３．５ポンド（約１．５８８キログラム）ないし約４．５ポンド（約２．０４１キログラム）のクロージング力を有する請求項３の廃棄物処理装置。
【請求項２６】
前記第２のピンチクロージャは、約０．２５平方インチ（約１．６１３平方センチメートル）ないし約０．５平方インチ（約３．２２６平方センチメートル）の表面積を有するシールを与える請求項３の廃棄物処理装置。
【請求項２７】
前記第２のピンチクロージャは、約０．３７５平方インチ（約２．４１９平方センチメートル）の表面積を有するシールを与える請求項３の廃棄物処理装置。
【請求項２８】
廃棄物処理装置中の廃棄物を処理する方法であって、
前記廃棄物処理装置が非使用位置にあるとき、ライナ素材に、この内部に集められた廃棄物を有する内側保管領域の上にある第１のピンチシールを形成することと、
前記廃棄物処理装置が使用位置にあるとき、ライナ素材に、この内部に集められた廃棄物を有する前記内側保管領域の上にある第２のピンチシールを形成することと、を具備する方法。
【請求項２９】
前記廃棄物処理装置を前記非使用位置に通常付勢することをさらに具備する請求項２８の方法。
【請求項３０】
前記第１及び第２のピンチシールを形成することは、
前記第１のピンチシールを形成するために、１対の部材を第１の位置へと枢動させることと、
前記第２のピンチシールを形成するために、前記１対の部材を第２の位置へと枢動させることと、を含む請求項２８の方法。
【請求項３１】
フットペダルが上側位置にあるとき、ふたが閉位置にあり、かつ前記１対の部材が前記第１のピンチシールを形成するように、また、前記フットペダルが下側位置にあるとき、前記ふたが開位置にあり、かつ前記１対の部材が前記第２のピンチシールを形成するように、前記フットペダルと前記ふたとを、前記１対の部材に動作的に接続することをさらに具備する請求項３０の方法。
【請求項３２】
前記フットペダルが前記上側位置にあり、前記ふたが前記閉位置にあり、かつ前記１対の部材が前記第１のピンチシールを形成するように、前記廃棄物処理装置を前記非使用位置に通常付勢することをさらに具備する請求項３１の方法。
【請求項３３】
前記１対の部材の少なくとも１つが前記第１の位置にないとき、インジケータ装置を駆動させることをさらに具備する請求項３２の方法。
【請求項３４】
電源の使用を最小にするように前記インジケータ装置の駆動を制御することをさらに具備する請求項３３の方法。
【請求項３５】
前記ふたが前記閉位置にあるが、前記１対の部材の少なくとも１つが前記第１の位置にないとき、インジケータ装置を駆動させることをさらに具備する請求項３２の方法。
【請求項３６】
電源の使用を最小にするように前記インジケータ装置の駆動を制御することをさらに具備する請求項３５の方法。
【請求項３７】
前記ライナ素材が、前記第１のピンチクロージャ、前記第２のピンチクロージャ、及びこれらの組合せによって加えられた圧力によりそれ自体に密着して封止されることをさらに具備する請求項２８の方法。
【請求項３８】
前記廃棄物処理装置の少なくとも１つの構成要素の材料に抗菌添加剤を直接組み込むことをさらに具備する請求項２８の方法。
【請求項３９】
下側ハウジングと、
上側ハウジングと、
前記下側ハウジングが、開位置と、内側保管領域を規定している閉位置との間で、前記上側ハウジングに対して、前記内側保管領域の外側にある所定の軸線を中心として枢動するように、前記上側及び下側ハウジングに取着されるように構成されたヒンジと、
前記上側ハウジングに枢動可能に取着されたふたと、
前記下側ハウジングに枢動可能に取着されたフットペダルと、
前記フットペダルと動作的に関連している下端を有する下側押圧ロッドと、
前記ふたと動作的に関連している上端を有する上側押圧ロッドと、を具備し、
前記上側及び下側押圧ロッドは、前記内側保管領域で、互いに動作的に関連している廃棄物処理装置。
【請求項４０】
前記下側ハウジングに下側押圧ロッドガイドをさらに具備する請求項３９の廃棄物処理装置。
【請求項４１】
前記上側ハウジングに上側押圧ロッドガイドをさらに具備する請求項３９の廃棄物処理装置。
【請求項４２】
バケツフレームと、
使用位置と非使用位置との間の動きのために、前記バケツフレームに取着された１対の部材と、をさらに具備する請求項３９の廃棄物処理装置。
【請求項４３】
前記１対の部材は、前記フットペダルが上側位置にあるとき、前記ふたが閉位置にあり、かつ前記１対の部材が前記非使用位置にあるように、前記上側押圧ロッドと動作的に関連しており、また、
前記１対の部材は、前記フットペダルが下側位置にあるとき、前記ふたが開位置にあり、かつ前記１対の部材が前記使用位置にあるように、前記上側押圧ロッドと動作的に関連している請求項４２の廃棄物処理装置。
【請求項４４】
前記バケツフレームは、ライナ素材が前記１対の部材の間に延びた状態で、前記１対の部材の上のライナ素材に取着する請求項４３の廃棄物処理装置。
【請求項４５】
前記１対の部材は、前記使用位置において、前記１対の部材間に延びた前記ライナ素材の第１のピンチクロージャを形成し、また、
前記１対の部材は、前記非使用位置において、前記１対の部材間に延びた前記ライナ素材の第２のピンチクロージャを形成する請求項４４の廃棄物処理装置。
【請求項４６】
前記１対の部材を前記非使用位置に通常付勢するように、前記１対の部材と動作的に関連している少なくとも１つの付勢部材をさらに具備する請求項４２の廃棄物処理装置。
【請求項４７】
前記１対の部材は、前記少なくとも１つの付勢部材が、前記フットペダルを前記上側位置に、かつ前記ふたを前記閉位置に通常付勢するように、前記フットペダル及びふたと動作的に関連している請求項４６の廃棄物処理装置。
【請求項４８】
前記バケツフレームと一体的に形成された第２の上側押圧ロッドガイドをさらに具備する請求項４２の廃棄物処理装置。
【請求項４９】
前記上側ハウジング、前記下側ハウジング、前記上側押圧ロッド、前記下側押圧ロッド、前記ふた、前記バケツフレーム、前記１対の部材、前記フットペダル及びこれらの組合せからなるグループから選択された構成要素の材料に直接組み込まれた抗菌添加剤をさらに具備する請求項４２の廃棄物処理装置。
【請求項５０】
前記抗菌添加剤は、銅、銀及びこれらの組合せからなるグループから選択された重金属を含む請求項４９の廃棄物処理装置。
【請求項５１】
前記内側保管領域内にライナカッタをさらに具備する請求項３９の廃棄物処理装置。
【請求項５２】
カセットをさらに具備し、
このカセットは、カセットから回収するためのライナ素材の所定の長さ部分を収容するように構成されており、
前記バケツフレームは、内部にカセットを取り外し可能に受ける請求項３９の廃棄物処理装置。
【請求項５３】
廃棄物処理装置のためのカセットであって、
増加分の回収のためのチューブ状のストック部である供給部分を具備し、
前記チューブ状のストック部は、このチューブ状のストック部の内側に圧力感知接着システムを有するカセット。
【請求項５４】
前記カセット、前記チューブ状のストック部、前記圧力感知接着システム及びこれらの組合せからなるグループから選択された構成要素の材料に直接組み込まれた抗菌添加剤をさらに含む請求項５３のカセット。
【請求項５５】
前記第１のピンチクロージャと第２のピンチクロージャとの少なくとも一方が、非平面のピンチクロージャを有する請求項３の廃棄物処理装置。
【請求項５６】
前記第１のピンチクロージャと第２のピンチクロージャとの少なくとも一方が、重なったピンチクロージャをさらに有する請求項５５の廃棄物処理装置。
【請求項５７】
前記第１のピンチクロージャと第２のピンチクロージャとの少なくとも一方が、重なったピンチクロージャを含む請求項３の廃棄物処理装置。
【請求項５９】
前記第１のピンチクロージャと第２のピンチクロージャとの少なくとも一方が、非平面のピンチクロージャを有する請求項５７の廃棄物処理装置。
【発明の詳細な説明】
【技術分野】
【０００１】
本出願は、２００７年１１月１６日に出願された係属中の米国出願Ｎｏ．１１／９８５，７３４の一部継続出願であり、この全体の内容は、参照としてここに組み込まれる。
【０００２】
本開示は、一般的に、廃棄物処理装置及び方法に関する。特に、本開示は、限定的ではないが、おむつ、ナプキン、トレーニングパンツ（幼児の用便練習用パンツ）及び失禁用製品のような、廃棄物の臭気なく衛生的な処理のための装置及び方法に関する。
【背景技術】
【０００３】
使い捨てのおむつ、ナプキン、トレーニングパンツ及び失禁用製品の使用は、特有かつ複雑な処理問題に結びつく。特に、おむつ、トレーニングパンツ、ナプキン及び失禁用製品は、人間の排泄物を集めるために一般的に使用される。従って、使用後に、このような製品から、面倒であったり厄介であったりする臭気や細菌が放出される可能性がある。同様の臭気及び衛生上の問題は、他の多くのタイプの廃棄物に関して存在する。
【０００４】
自宅、会社、自動車又は他の移住空間や作業空間からの廃棄物を即時に除去すると、臭気も除去される。不運にも、廃棄物のこのような即時の除去は、しばしば不便である。代わって、集められた廃棄物を取り除くのに便利であるような時間まで、廃棄物は、処理容器中に集められるか、保持されることができる。
【０００５】
不運にも、廃棄物がこのようにして集められたとき、臭気は、かなり強く、不快になる可能性がある。例えば、開いた上部を有するバスケットやレセプタクル中に廃棄物を集めると、このような臭気や細菌を含むところでは効果的でないこと明らかになっている。同様に、開いた上部を選択的に開閉するふたを有するごみ箱やレセプタクルは、このような臭気を含むところでは、特に、追加の廃棄物を入れるためにいったんふたが開けられると効果的でないことも分かっている。
【０００６】
上の問題の少なくとも１つを解決する試みにおいて、このタイプの廃棄物の臭気を封じ込めるためのさまざまな試みがなされてきている。このようなアプローチの１つは、使い捨て用品を収容するための装置を開示している米国特許出願Ｎｏ．２００６／０２４８８６２Ａ１に示されている。この装置は、第１及び第２の部分を備えたクロージングメカニズムを有する。第２の部分は、第１の部分に対して閉位置に付勢される。第２の部分は、受け面を有し、受け面に下向きの力を加えることによって、閉位置から開位置に滑動可能である。不運にも、下向きの力は、廃棄物を手で把持しているユーザによって加えられ、受け面に対して廃棄物収容領域へと廃棄物を押す。
【０００７】
従って、従来技術の上述の並びに他の欠点の少なくとも１つを克服するか、軽減するか、緩和する、廃棄物処理装置及び方法の必要があることが本開示によって理解される。
【発明の概要】
【０００８】
手を使わずに容易に動作されることができ、また、使用前、使用中及び使用後の臭気の放出をなくすことができる、廃棄物を集めるための廃棄物処理装置が提供される。
【０００９】
開口端と閉塞端とを有するライナ素材内に廃棄物の集めるための廃棄物処理装置が提供される。この廃棄物処理装置は、ハウジングと、ふたと、バケツフレームと、１対のバケツ部材と、フットペダルとを有する。前記ハウジングは、内側保管領域へのアクセスを可能にする開口を有する。前記ふたは、開位置と閉位置との間の動きのために、前記開口のところで前記ハウジングに枢動可能に取着されている。前記バケツフレームは、前記開口のところに位置されている。前記１対のバケツ部材は、使用位置と非使用位置との間の動きのために、前記バケツフレームに枢動可能に取着されている。前記フットペダルは、上側位置と下側位置との間の動きのために、前記ハウジングに枢動可能に取着されている。前記フットペダルは、このフットペダルが前記上側位置にあるとき、前記ふたが前記閉位置にあり、かつ前記１対のバケツ部材が前記非使用位置にあるように、前記ふた及び１対のバケツ部材と動作的に関連している。さらに、前記フットペダルは、このフットペダルが下側位置にあるとき、前記ふたが開位置にあり、かつ前記１対のバケツ部材が前記使用位置にあるように、前記ふた及び１対のバケツ部材と動作的に関連している。
【００１０】
また、廃棄物を処理する方法も提供される。本方法は、廃棄物処理装置が非使用位置にあるとき、ライナ素材に第１のピンチシールを形成することを含む。第１のピンチシールは、内部に集められた廃棄物を有する内側保管領域の上にある。また、本方法は、廃棄物処理装置が使用位置にあるとき、ライナ素材に第２のピンチシールを形成することを含む。第２のピンチシールは、内部に廃棄物を集めるために、内側保管領域の上にある。
【００１１】
下側ハウジングと、上側ハウジングと、ヒンジと、ふたと、フットペダルと、下側押圧ロッドと、上側押圧ロッドとを有する廃棄物処理装置が提供される。前記ヒンジは、前記下側ハウジングが、開位置と閉位置との間で、前記上側ハウジングに対して所定の軸線を中心として枢動するように、前記上側及び下側ハウジングに取着されている。前記閉位置は、内側保管領域の外側の軸線と共に、内側保管領域を規定している。前記ふたは、前記上側ハウジングに枢動可能に取着されており、また、前記フットペダルは、前記下側ハウジングに枢動可能に取着されている。前記下側押圧ロッドは、前記フットペダルと動作的に関連している下端を有し、また、前記上側押圧ロッドは、前記ふたと動作的に関連している上端を有する。これら上側及び下側押圧ロッドは、前記内側保管領域で、互いに動作的に関連している。
【００１２】
また、廃棄物処理装置のためのカセットも提供される。このカセットは、これの部分の増加分の回収のためのチューブ状のストック部である供給部分を有する。前記チューブ状のストック部は、このチューブ状のストック部の内側に圧力感知接着システムを有する。
【００１３】
本開示の上記の並びに他の効果及び特徴は、以下の詳細な説明、図面並びに添付の特許請求の範囲から、当業者によって評価され、理解される。
【図面の簡単な説明】
【００１４】
【図１】図１は、本開示に従う廃棄物処理装置の代表的な実施の形態の上からの斜視図である。
【図２】図２は、閉位置、すなわち非使用位置で示される図１の廃棄物処理装置の側面図である。
【図３】図３は、３−３線に沿った図２の廃棄物処理装置の部分的な正面断面図である。
【図４】図４は、図３の廃棄物処理装置の背面図である。
【図５】図５は、部分的に開位置で示される図１の廃棄物処理装置の側面図である。
【図６】図６は、６−６線に沿った図５の廃棄物処理装置の部分的な断面図である。
【図７】図７は、図６の廃棄物処理装置の背面図である。
【図８】図８は、完全な開位置、すなわち使用位置で示される図１の廃棄物処理装置の側面図である。
【図９】図９は、９−９線に沿った図８の廃棄物処理装置の部分的な断面図である。
【図１０】図１０は、図９の廃棄物処理装置の背面図である。
【図１１】図１１は、閉位置、すなわち非使用位置で示されるバケツアセンブリの代表的な第１の実施の形態の部分の詳細図である。
【図１２】図１２は、開位置、すなわち使用位置で完全に示されるバケツアセンブリの部分の詳細図である。
【図１３】図１３は、本開示に従うバケツアセンブリ、カセット及び上側押圧ロッドの部分の上からの正面斜視図である。
【図１４】図１４は、閉位置、すなわち非使用位置で示されるバケツアセンブリの部分の背面図である。
【図１５】図１５は、閉位置、すなわち非使用位置で示される上側押圧ロッドの後部斜視図及びバケツアセンブリの部分である。
【図１６】図１６は、報知装置の代表的な実施の形態を有するバケツアセンブリの正面図である。
【図１７】図１７は、図１６の報知装置を示す廃棄物処理装置の上からの平面図である。
【図１８Ａ】図１８Ａは、本開示に従う下側ハウジングの代表的な実施の形態の上からの正面斜視図である。
【図１８Ｂ】図１８Ｂは、本開示に従う下側ハウジングの代表的な実施の形態の下からの正面斜視図である。
【図１９】図１９は、図１８のヒンジアセンブリと押圧ロッドとの関係の側面図である。
【図２０】図２０は、本開示に従うメカニズムを保持しているふたの上からの斜視図である。
【図２１】図２１は、本開示に従うカッタアセンブリの下からの正面斜視図である。
【図２２】図２２は、図２１のカッタアセンブリの下からの斜視図である。
【図２３】図２３は、図２１のカッタアセンブリの分解組立図である。
【図２４】図２４は、開位置、すなわち使用位置で示される本開示に従うバケツアセンブリの代表的な第２の実施の形態の斜視図である。
【図２５】図２５は、図２４のバケツアセンブリの正面図である。
【図２６】図２６は、閉位置、すなわち非使用位置で示される図２４のバケツアセンブリの斜視図である。
【図２７】図２７は、図２６のバケツアセンブリの正面図である。
【図２８】図２８は、開位置、すなわち使用位置で示される本開示に従うバケツアセンブリの代表的な第３の実施の形態の斜視図である。
【図２９】図２９は、図２８のバケツアセンブリの正面図である。
【図３０】図３０は、閉位置、すなわち非使用位置で示される図２８のバケツアセンブリの斜視図である。
【図３１】図３１は、図３０のバケツアセンブリの正面図である。
【図３２】図３２は、開位置、すなわち使用位置で示される本開示に従うバケツアセンブリの代表的な第４の実施の形態の斜視図である。
【図３３】図３３は、図３２のバケツアセンブリの正面図である。
【図３４】図３４は、閉位置、すなわち非使用位置で示される図３２のバケツアセンブリの斜視図である。
【図３５】図３５は、図３４のバケツアセンブリの正面図である。
【図３６】図３６は、開位置、すなわち使用位置に示される本開示に従うバケツアセンブリの代表的な第５の実施の形態の斜視図である。
【図３７】図３７は、図３６のバケツアセンブリの正面図である。
【図３８】図３８は、閉位置、すなわち非使用位置に示される図３６のバケツアセンブリの斜視図である。
【図３９】図３９は、図３８のバケツアセンブリの正面図である。
【図４０】図４０は、本開示に従うバケツアセンブリの代わりの代表的な第６の実施の形態の下からの斜視図であり、完全な開位置、すなわち使用位置でバケツアセンブリを示している。
【図４１】図４１は、図４０のバケツアセンブリのバケツ部分の上からの斜視図である。
【図４２】図４２は、図４０のバケツアセンブリの断面図である。
【図４３】図４３は、閉位置、すなわち非使用位置のバケツアセンブリを示す図４１のバケツ部分の上からの斜視図である、
【図４４】図４４は、閉位置、すなわち非使用位置の図４０のバケツアセンブリの代わりの実施の形態の断面図である。
【発明を実施するための形態】
【００１５】
図面、特に図１を参照すると、本開示に従う廃棄物処理装置の代表的な実施の形態が、参照符号１０によって一般的に示される。
【００１６】
いくつかの実施の形態では、廃棄物処理装置１０は、フットペダルを押し下げると、ふたが開き、内部の廃棄物用バケツアセンブリが、中に廃棄物を受けるために、開位置に動くように形成されている。開いたバケツアセンブリの中に廃棄物を置いて、フットペダルを解放した後、ふたは自動的に閉じて、バケツアセンブリは、通常の、すなわち閉位置に戻る。効果的には、内部の廃棄物用バケツアセンブリは、開位置と閉位置との両方で、圧力又は廃棄物のライナのピンチシールを形成し、臭気の放出を緩和する。
【００１７】
図１に示されるように、廃棄物処理装置１０は、上側ハウジング１２と、下側ハウジング１４と、ふた１６と、フットペダル１８とを有する。
【００１８】
いくつかの実施の形態では、下側ハウジング１４は、使用中、装置１０の安定性を高めるために、シュラウド２０を有することができる。シュラウド２０は、下側ハウジング１４と一体であっても別体であってもよい。シュラウド２０は、装置の重さを増すこと、装置の基部の足場を増やすこと、又はこれらの組合せによって、廃棄物処理装置１０の安定性を高めることができる。
【００１９】
上側ハウジング１２は、開口を有し、ふた１６が、開口を選択的に開閉するために、開口のところで上側ハウジングに枢動可能に取着されている。ふた１６が開いているとき、ふたは、ハウジングの開口を通じて、上側及び下側ハウジング１２、１４によって規定された内側保管領域へのアクセスを可能にする。
【００２０】
廃棄物処理装置１０の動作は、図２ないし図１０を同時に参照して説明される。図２ないし図４は、閉位置、すなわち非使用位置での廃棄物処理装置１０を示している。図５ないし図７は、開位置と閉位置との間の中央位置での廃棄物処理装置１０を示している。図８ないし図１０は、開位置、すなわち使用位置での廃棄物処理装置１０を示している。
【００２１】
ペダル１８は、通常の、すなわち上側位置（図２ないし図４）と、使用時の、すなわち下側位置（図８ないし図１０）との間の動きのために、下側ハウジング１４に枢動可能に取着されている。ペダル１８は、ペダルが通常の、すなわち上側位置（図２ないし図４）にあるとき、ふたが閉位置（図２ないし図４）にあるように、ふた１６と動作的に関連している。さらに、ペダル１８は、ペダルが、使用時の、すなわち下側位置（図８ないし図１０）にあるとき、ふたが開位置（図８ないし図１０）にあるように、ふた１６と動作的に関連している。
【００２２】
図示される実施の形態では、廃棄物処理装置１０は、下側押圧ロッド２２と、上側押圧ロッド２４とを有する。下側押圧ロッド２２は、下端２６と上端２８とを有する。同様に、上側押圧ロッド２４は、下端３０と上端３２とを有する。下側押圧ロッド２２の下端２６は、ペダル１８に動作的に接続されており、また、上側押圧ロッド２４の上端３２は、ふた１６に動作的に接続されている。さらに、下側押圧ロッド２２の上端２８は、上側押圧ロッド２４の下端３０に動作的に関連している。このようにして、フットペダル１８の下向きの方向（Ａ）への動きは、下側押圧ロッド２２を上向きの方向（Ｂ）に動かして、上側押圧ロッド２４を上向きの方向に動かす。また、上側押圧ロッド２４の上向きの方向（Ｂ）への動きは、ふたを閉位置（図２）から開位置（図８）に動かすように、上側押圧ロッドの上端３２をふた１６に作用させる。
【００２３】
廃棄物処理装置１０は、ペダル１８と動作的に関連している廃棄物用バケツアセンブリ３４を有する。廃棄物用バケツアセンブリ３４は、バケツフレーム３６と、第１のバケツ部分３８と、第２のバケツ部分４０とを有する。第１及び第２のバケツ部分３８、４０は、閉位置、すなわち非使用位置（図２ないし図４）と、開位置、すなわち使用位置（図８ないし図１０）との間の動きのために、バケツフレーム３６に枢動可能に取着されている。
【００２４】
従って、フットペダル１８の下向きの方向（Ａ）への動きは、下側押圧ロッド２２を上向きの方向（Ｂ）に動かして、上側押圧ロッド２４を上向きの方向に動かす。また、上側押圧ロッド２４の上向きの方向（Ｂ）への動きは、第１及び第２のバケツ部分３８、４０を閉位置、すなわち非使用位置から、開位置、すなわち使用位置まで動かすように、上側押圧ロッドをアセンブリ３４に作用させる。
【００２５】
このようにして、廃棄物処理装置１０は、フットペダル１８を単に踏むか、もしくは下向きの方向（Ａ）に動かすことによって、手を使わず容易に動作させることができる。
【００２６】
図１１ないし図１３を参照すると、廃棄物用バケツアセンブリ３４は、既知のやり方でバケツフレーム３６内にカセット４２を取り外し可能に受ける。カセット４２は、既知のやり方で、これの部分の増加分の回収のために、カセット内で折り畳まれたあるいはひだがつけられた位置にあるチューブ状のストック部の形態であるライナ素材４４の所定の長さ部分、すなわち供給部分を収容する。例えば、カセット４２は、米国特許第６，１７０，２４０号、米国特許第７，０７３，３１１号、米国特許第７，１００，７６７号並びに米国特許出願Ｎｏ．１１／８００，３２４に示されるようなものであることができ、これらの各々の全体の内容は、参照としてここに組み込まれる。
【００２７】
カセット４２は、必要に応じて取り外したり交換したりすることができる。例えば、カセット４２は、ふた１６を単に開くことによって、バケツフレーム３６から空のカセット４２を取り外し、バケツフレームにいっぱいになったカセット４２を入れて、ふた１６を閉じることによって取り替えられることができる。従って、バケツフレーム３６は、ふた１６とバケツ部分３８、４０との間のライナ素材４４の開口端６２に取着される。
【００２８】
使用中、ユーザは、バケツフレーム３６中にカセット４２を取り付け、カセットからライナ素材４４の所定の長さ部分を引き出し、バケツ部分３８、４０によってライナ素材４４の所定の長さ部分を供給し、これにより、開口端は下側ハウジング１４にあり、また、例えば、ノット４６でライナ素材４４の開口端を閉じるか封止する。限定的ではないが、使い捨ておむつ、ナプキン、トレーニングパンツ及び失禁用製品のような廃棄物５０を装置１０に置くために、ユーザは、フットペダル１８を単に踏むか、もしくは押し下げることによって、手を使わず容易に動作させることができる。この位置では、第１及び第２のバケツ部分３８、４０は、図８ないし図１０並びに図１２に示されるように、開位置、すなわち使用位置にある。
【００２９】
そして、図１２に見られるように、ユーザは、廃棄物５０をライナ素材４４に入れて、開いた第１及び第２のバケツ部分３８、４０の内に位置される。廃棄物５０を装置１０に置いた後、ユーザは、単にフットペダル１８を解放し、このとき、ふた１６が閉じ、第１及び第２のバケツ部分３８、４０は、図２ないし図４並びに図１１に見られるような閉位置に動く。
【００３０】
第１及び第２のバケツ部分３８、４０が付勢部材４８のばね力の下で閉位置に動くのに従って、廃棄物５０は、装置１０の内側保管領域５２に付勢される。さらに、廃棄物５０は、廃棄物に作用する重力により、装置１０の内側保管領域５２に付勢される。
【００３１】
廃棄物５０は、ノット４６と第１のピンチクロージャ（pinch closure）５４との間のライナ素材４４内に維持される。第１のピンチクロージャ５４は、図１１に示されるように、第１及び第２のバケツ部分３８、４０の前縁５８、６０によってそれぞれ規定される。第１のピンチクロージャ５４の圧力は、付勢部材４８のばね力によって維持される。いくつかの実施の形態では、装置１０は、第１のピンチクロージャ５４に、約０．５ポンド（約２２６．８グラム）ないし約５ポンド（約２．２６８キログラム）の、好ましくは約１．２５ポンド（約５６７グラム）ないし約２ポンド（約９０７．２グラム）の、及びこれらの間のサブレンジのクロージング力（closing force）を与える。クロージング力という用語がここに使用されたとき、この用語は±０．１ポンド（約４５．３６グラム）以内を意味するものとする。他の実施の形態では、第１のピンチクロージャ５４は、約０．２５平方インチ（ｉｎ２）（約１．６１３平方センチメートル）ないし約０．５平方インチ（約３．２２６平方センチメートル）の、好ましくは０．３７５平方インチ（約２．４１９平方センチメートル）の、及びこれらの間のサブレンジの表面積を有するシールを与える。表面積という用語がここに使用されたとき、この用語は±０．１インチ（約２．５４ミリメートル）以下を意味するものとする。
【００３２】
このようにして、装置１０が閉じているとき、第１のピンチクロージャ５４は、内側保管領域５２から、廃棄物５０からの臭気の放出を緩和する。
【００３３】
装置１０に廃棄物５０をさらに加えるとき、ユーザは、ペダル１８を踏み、第１及び第２のバケツ部分３８、４０を開位置に動かすことによって、再びふた１６を開く。この位置では、廃棄物５０は、ノット４６と第２のピンチクロージャ６４との間のライナ素材４４内に維持される。第２のピンチクロージャ６４は、図１２に示されるように、第１及び第２のバケツ部分３８、４０の後縁６８、７０によってそれぞれ規定される。第２のピンチクロージャ６４の圧力は、フットペダル１８にユーザによって加えられた圧力によって規定される。いくつかの実施の形態では、装置１０は、約０．５ポンド（約２２６．８グラム）ないし約５ポンド（約２．２６８キログラム）の、好ましくは約３．５ポンド（約１．５８８キログラム）ないし約４．５ポンド（約２．０４１キログラム）の、及びこれらの間の全てのサブレンジのクロージング力を第２のピンチクロージャ６４に供給する。他の実施の形態では、第２のピンチクロージャ６４は、約０．２５平方インチ（約１．６１３平方センチメートル）ないし約０．５平方インチ（約３．２２６平方センチメートル）の、好ましくは０．３７５平方インチ（約２．４１９平方センチメートル）、及びこれらの間のサブレンジの表面積を有するシールを与える。
【００３４】
このようにして、装置１０が開いているとき、第２のピンチクロージャ６４は、内側保管領域５２から、廃棄物５０からの臭気の放出を緩和する。
【００３５】
従って、廃棄物処理装置１０は、使用していないとき、第１のピンチクロージャ５４の形成によりライナ素材４４内に集められた廃棄物５０から出る臭気を低減させる。さらに、廃棄物処理装置１０は、使用中、第２のピンチクロージャ６４の形成によりライナ素材４４内に集められた廃棄物５０から出る臭気を低減させる。
【００３６】
カセット４２及びライナ素材４４を利用した一例では、本開示の廃棄物処理装置１０が上に記述されることが認識されるべきである。しかし、装置１０によって受けられるように構成されたプラスチックのゴミ袋のようないかなるライナ素材４４を備えたものとの均等物の使用が、装置１０の本開示によって考えられ得る。この実施の形態では、装置１０は、カセット４２を必要としないが、ライナ素材４４は、第１及び第２のピンチクロージャ５４、６４の上のバケツフレーム３６のところに取着された上端を有する。
【００３７】
カセット４２を有する本開示の他の実施の形態では、このカセットは、この上に配置された圧力感知接着システム５６を有するライナ素材４４を含むことができる。システム５６は、このシステムがライナ素材の内部にあるように、ライナ素材４４で規定される。
【００３８】
このようにして、システム５６は、第１のピンチクロージャ５４、第２のピンチクロージャ６４又はこれらの組合せによって加えられた圧力によりそれ自体にライナ素材４４を密着して密閉する。本開示で考えられ得る適切な圧力感知接着システム５６の例は、米国特許第５，６６２，７５８号、第５，９６５，２３５号、第６，１９４，０６２号並びに第６，４８９，０２２号に記載されており、これらの各々の全体の内容は、参照としてここに組み込まれる。
【００３９】
従って、ライナ素材４４内に集められた廃棄物５０からの臭気は、第１及び第２のピンチクロージャ５４、６４による放出を防ぐだけでなく、圧力感知接着システム５６でピンチクロージャの相互作用によって発生される廃棄物５０の各々のピースの下方と上方との少なくとも一方による。
【００４０】
上側押圧ロッド２４とバケツアセンブリ３４との相互作用の代表的な実施の形態が、図１１ないし図１５を同時に参照して説明される。バケツフレームアセンブリ３４は、ふた１６の近傍の上側ハウジング１４の内部に取着されており、また、第１及び第２のバケツ部分３８、４０は、バケツフレーム３６に枢動可能に取着されている。
【００４１】
バケツフレーム３６は、１対の第１の枢動開口７２と、１対の第２の枢動開口７４と、１対の第１のカムスロット７６と、１対の第２のカムスロット７８とを有する。第１のバケツ部分３８は、１対の第１の枢動部材８２と、１対の第１のカム部材８４とを有する。同様に、第２のバケツ部分４０は、１対の第２の枢動部材８６と、１対の第２のカム部材８８とを有する。
【００４２】
第１のバケツ部分３８は、第１の枢動部材８２が第１の枢動開口７２中で枢動可能にそれぞれ受けられるように、また、第１のカム部材８４が第１のカムスロット７６中に受けられるように、バケツフレーム３６中で受けられる。さらに、第２のバケツ部分４０は、第２の枢動部材８６が第２の枢動開口７４中で枢動可能にそれぞれ受けられるように、また、第２のカム部材８８が第２のカムスロット７８中に受けられるように、バケツフレーム３６中で受けられる。
【００４３】
このようにして、第１のバケツ部分３８は、第１の枢動部材８２を中心としてバケツフレーム３６中で回転し、また、第２のバケツ部材４０は、第２の枢動部材８６を中心としてバケツフレーム３６中で回転する。さらに、第１及び第２のバケツ部分３８、４０の回転は、カム部材８４、８８とカムスロット７６、７８との相互作用によって規定される。
【００４４】
カム部材８４、８８は、バケツフレーム３６を貫通して延びており、これにより、延在部分９０が、バケツフレーム（図１５）の外部に規定されている。上側押圧ロッド２４は、外延部材９０と動作的に関連付けられる表面９２を有する。このようにして、上向きの方向（Ｂ）への上側押圧ロッド２４の動きは、表面９２に上向きの方向に延在部分９０をそれぞれ押して、これにより、カム部材８４、８８が、それぞれ、カムスロット７６、７８に沿って、又は従って動く。上向きの方向（Ｂ）への延在部分９０の動きは、枢動部材８２、８６を中心として第１及び第２のバケツ部分３８、４０をそれぞれ回転させる。従って、押圧ロッド２４は、第１及び第２のバケツ部分３８、４０を閉位置（図１１）から開位置（図１２）に動かすのに効果的である。
【００４５】
バケツアセンブリ３４は、さらに、各バケツ部分３８、４０につき少なくとも１つの付勢部材４８を有する。図示される実施の形態では、バケツアセンブリ３４は、第１のバケツ部材３８のための２つの付勢部材４８と、第２のバケツ部分４０のための２つの付勢部材４８とを有する。もちろん、各バケツ部分３８、４０に対して２つよりも少ない又は多い付勢部材４８が、本開示によって考えられ得る。さらに、図示される実施の形態では、付勢部材４８は、テンションばねとして示される。もちろん、限定的ではないが、ゴムバンド、回転ばね、あるいはこれらの組合せの他の付勢部材４８も、本開示によって考えられ得る。
【００４６】
付勢部材４８は、フットペダル１８からの圧力の解放によって、開位置から閉位置にバケツ部分３８、４０を戻すように構成されている。さらに、付勢部材４８は、フットペダル１８からの圧力の解放によって、開位置から閉位置にふた１６を戻すように、また、通常の、すなわち下側位置にフットペダル１８を戻すように構成されている。
【００４７】
バケツフレーム３６は、図１３ないし図１５に示されるようなバケツフレームに付勢部材４８の上端を取着するように構成された複数のリテーナ９６を有する。また、第１及び第２のバケツ部分３８、４０の各々が、第１及び第２のバケツ部分に付勢部材４８の下端をそれぞれ取着するように構成された複数のリテーナ９８を有する。さらに、第１及び第２のバケツ部分３８、４０の各々が、支持部材１００を有する。支持部材１００は、付勢部材４８の付勢力、すなわちばね力を、外向きの方向（Ｃ）に、第１及び第２のバケツ部分３８、４０に伝達する。
【００４８】
このようにして、付勢部材４８は、ふた１６とバケツアセンブリ３４とを閉位置、すなわち非使用位置（図３）に通常（normally）付勢する。バケツアセンブリ３４が閉位置、すなわち非使用位置に付勢されたとき、バケツアセンブリの延在部分９０は、上側押圧ロッド２４を下向きの方向（Ａ）に付勢して、下側押圧ロッド２２を下向きの方向（Ａ）に、かつフットペダル１８を通常、すなわち上側位置（図３）に付勢するように、上側押圧ロッド２４の表面９２と動作的に関連している。使用中、ユーザは、付勢部材４８の付勢力、すなわちばね力を克服するのに十分な大きさの、フットペダル１８に対する圧力を加える。付勢部材４８の付勢力、すなわちばね力がいったん克服されると、ふた１６及びバケツアセンブリ３６は、開位置、すなわち使用位置に動く。逆に、フットペダル１８からの圧力を解放すると、付勢部材４８の付勢力、すなわちばね力が、ふた１６及びバケツアセンブリ３６を閉位置、すなわち非使用位置に、及びペダルを通常、すなわち上側位置に戻す。
【００４９】
図１２並びに図１５を参照して示されるように、いくつかの実施の形態では、第１及び第２のバケツ部分３８、４０の各々は、ヒンジ１０６によって互いに取着された下側セクション１０２と上側セクション１０４とにより形成されることができる。通常の使用中、下側セクション１０２と上側セクション１０４とは、互いにほぼ垂直な関係の付勢部材４８で維持されており、第１及び第２のバケツ部分３８、４０がほぼＬ形状の部材を規定している。しかし、第１及び第２のバケツ部分３８、４０が図１２の開位置、すなわち使用位置にあるとき、装置１０内でジャムや他の状態が起こった場合、ユーザは、付勢部材４８の付勢力、すなわちばね力を克服するように、廃棄物５０を押すことができる。付勢部材４８の付勢力、すなわちばね力を克服することによって、ヒンジを中心として上側セクション１０４に対して下側セクション１０２を回転させ、これにより、上側及び下側セクションは、互いにほぼ直線的な関係で動く。
【００５０】
図１６並びに図１７を参照すると、一実施の形態では、廃棄物処理装置１０は、報知システム１１０を有する。この報知システム１１０は、バケツ部分３８、４０が開位置、又は部分的な開状態に留まっている状態についてユーザに報知し、この結果、第１のピンチクロージャ５４は形成されない。この報知システム１１０は、インジケータ装置１１２と、少なくとも１つのスイッチ１１４（１つのみ図示されている）と、電源１１６とを有する。
【００５１】
インジケータ装置１１２は、限定的ではないが、発光ダイオード（ＬＥＤ）のような点燈装置、スピーカのようなオーディオ装置又はこれらの組合せを含むセンサ装置であることができる。図示される実施の形態では、インジケータ装置１１２は、上側ハウジング１４の開口を通って突出しているＬＥＤ１１８として示されている。
【００５２】
電源１１６は、限定的ではないが、バッテリ、電気出口と電気通信するように構成された電源コード又はこれらの組合せのような電気エネルギ源であることができる。
【００５３】
スイッチ１１４は、第１のカム部材８４と第２のカム部材８８との少なくとも一方の位置を検出するために、バケツアセンブリ３４に位置されている。例えば、スイッチ１１４は、カム部材のバケツ部分３８、４０が、閉位置、すなわち非使用位置にあるとき、第１のカム部材８４と第２のカム部材８８との少なくとも一方と接触されるように位置されている。
【００５４】
もちろん、これらバケツ部分３８、４０の位置を検出するのに十分な所望の位置にあるようなスイッチ１１４が本開示によって考えられ得る。例えば、封止面（すなわち、第１及び第２のピンチクロージャ５４、６４の少なくとも一方）のところでこれらバケツ部分３８、４０の位置を直接検出する、あるいはカム部材８４、８８又はバケツアセンブリ３４の他の可動部分のような封止面から離れた位置で間接的に検出するスイッチ１１４が、本開示によって考えられ得る。さらに、接触スイッチ、磁気検出装置、光学検出装置又はこれらの組合せのようなタイプのスイッチ開閉素子を含むスイッチが、本開示によって考えられ得る。
【００５５】
廃棄物処理装置１０の内側保管領域５２が、いっぱいになるか、バケツ部分３８、４０にジャムが生じたとき、第１及び第２のバケツ部分３８、４０は、第１のピンチクロージャ５４が形成されないように、完全には閉じない。スイッチ１１４が第１及び第２のカム部材８４、８８の少なくとも一方の存在を検出しないとき、スイッチ１１４は、インジケータ装置１１２と電気通信する電源１１６を置く。従って、バケツ部分３８、４０が閉位置、すなわち非使用位置から動くときはいつでも、報知システム１１０は、バケツ部分３８、４０が開いていることを、インジケータ装置１１２によってユーザに示す。ふた１６が閉まっており、インジケータ装置１１２が駆動された場合、ユーザは、ジャムが生じたりいっぱいになっりしたことを知る。
【００５６】
いくつかの実施の形態では、報知システム１１０は、電源１１６の使用を最小にするように構成された回路１２０をさらに含むことができる。回路１２０は、電源１１６がバッテリであるとき、エネルギを蓄えるのに特に有用であることができる。ここで、回路１２０は、インジケータ装置１１２を動作させる前に、スイッチ１１４が第１及び第２のカム部材８４、８８の少なくとも一方の存在を検出しなかった後、約１５秒のような所定時間の周期を待つ。さらに、回路１２０は、スイッチ１１４が電源１１６からのエネルギの消費をさらに低減させるように、第１及び第２のカム部材８４、８８の少なくとも一方の存在を検出しなかった後、動作状態と非動作状態との間でインジケータ装置１１２を循環させるように形成することができる。
【００５７】
一実施の形態では、報知システム１１０は、スイッチが第１及び第２のカム部材８４、８８の少なくとも一方の存在を検出しなくなるまで、スイッチ１１４は、電源１１６と電気通信する回路１２０を置かないように形成されている。このようにして、回路１２０は、開くかジャム状態が生じるまで、電源１１６からのエネルギを消費しない。
【００５８】
他の実施の形態では、スイッチ１１４は、ふた１６が閉位置にあるかどうかをさらに検出することができる。このようにして、報知システム１１０は、ふた１６が閉位置に戻ったが、バケツ部分３８、４０が、第１のピンチクロージャ５４が形成されないように、開いた又は部分的に開いた状態で留まっている状態についてユーザに報知することができる。ここで、インジケータ装置１１２は、ふたが閉まっており、第１のピンチクロージャ５４が形成されていないときのみ動作される。
【００５９】
図１、図１８Ａ並びに図１８Ｂを参照すると、廃棄物処理装置１０は、ヒンジ１２４と、ロック装置１２６とを有する。ヒンジ１２４は、上側ハウジングが下側ハウジングから離れるようにして枢動されるのを可能にするように、下側ハウジング１４を上側ハウジング１２に取着しており、これにより、内側保管領域５２内に集められた廃棄物５０が容易に取り除かれることができる。ロック装置１２６は、下側ハウジング１４を上側ハウジング１２に解放可能に取着しており、これにより、ユーザがロック装置を解放するまで、廃棄物処理装置１０が閉状態に留まる。
【００６０】
ヒンジ１２４は、下側ハウジング１４に配置された下側ヒンジ部材１２８と、上側ハウジング１２に配置された上側ヒンジ部材１３０とを有する。下側及び上側ヒンジ部材１２８、１３０は、ヒンジピン１３２によって既知のやり方で互いに回転可能に取着されている。
【００６１】
ロック装置１２６は、下側ハウジング１４の第１のロック部材１３４と、上側ハウジング１２の第２のロック部材１３６とを有する。図示される実施の形態では、第２のロック部材１３６は、開口１３８として図示されており、また、第１のロック部材１３４は、その上に規定されたリム１４２を有するタブ１４０として図示されている。タブ１４０は、リム１４２が開口１３８を受けるまで、径方向内側に屈曲することができるように、片持ち梁として機能する可撓性領域１４４を有し、このとき、領域１４４の弾性は、開口に径方向外側にリムを付勢する。下側ハウジング１４から上側ハウジング１２の開口中に、ユーザは、リム１４４が開口１３８から解放されるまで、径方向内側に領域１４４を屈曲させるように、タブ１４０に圧力を単に加え、かくして、上側ハウジング１２がヒンジ１２４を中心として回転することを可能にする。
【００６２】
好ましくは、廃棄物処理装置１０は、保管領域５２の内部に、すなわち図１９に示されるような上側及び下側ハウジング１２、１４内に、下側及び上側押圧ロッド２２、２４を維持することによって、臭気が放出される可能性のある領域を緩和するように構成されている。
【００６３】
ヒンジ１２４で廃棄物処理装置１０を開いた後、互いに整列して（連携して）下側及び上側押圧ロッド２２、２４を維持するために、この装置は、下側押圧ロッド２２のための第１のガイド１４６と、上側押圧ロッド２４のための第２のガイド１４８とを有する。第１及び第２のガイド１４６、１４８は、下側及び上側押圧ロッド２２、２４を摺動可能に受け、また、それを通って、上側押圧ロッドの下端３０と整列して（連携して）下側押圧ロッドの上端２８を維持するのを助ける。
【００６４】
いくつかの実施の形態では、下側押圧ロッド２２のためのヒンジ１２４及び第１のガイド１４６は、図１９に示されるように、互いに一体的に形成されている。この一体的なユニットは、ヒンジ部材１２８が下側ハウジングの外側に延びているので、これの上端のところで下側ハウジング１４に対してロックされる。
【００６５】
第２のガイド１４６は、所望の方法でバケツフレーム３６に取着されることができる。例えば、この第２のガイド１４６は、バケツフレーム３６と一体であるか、限定的ではないが、スクリュやボルトのようなコネクタによってバケツフレームに取着されることができる。
【００６６】
ヒンジ１２４は、装置１０の外側にある回転軸線１５０を有し、下側押圧ロッド２２の上端２８と上側押圧ロッド２４の下端３０との動作的な関連部が、装置の内部にある。従って、回転軸線１５０は、これら端２８、３０の相互作用に関して水平にオフセットされる。
【００６７】
図２０を参照すると、上側押圧ロッド２４の上端３２とふた１６との間の動作的な関連の代表的な実施の形態が示される。上端３２は、少なくとも１つの開口１５２を有し、また、ふた１６は、各々がカム面１５６を有する対応する数の突出部１５４を有する。上側押圧ロッド２４が上向きの方向（Ｂ）に動いたとき、上端３２は、ふた１６を開くように、カム面１５６に作用する。ふた１６が開位置に動いたとき、突出部１５４は、開口１５２中に受けられる。好ましくは、突出部１５４と開口１５２との相互作用は、ふた１６との動作的な係合で上側押圧ロッド２４を維持する。さらに、突出部１５４と開口１５２との相互作用は、ふた１６が所定の点を通って開くのを防ぐ。
【００６８】
さらに、上側押圧ロッド２４のための一体的なガイド１５８（図１５）を有するバケツフレーム３６が本開示によって考えられ得る。このガイド１５８は、これを通って上側押圧ロッド２４を摺動可能に受け、突出部１５４及びふた１６の表面１５６と整列して（連携して）上側押圧ロッドの上端３２を維持するのを助ける。
【００６９】
いったん内側保管領域５２がいっぱいになると、ユーザは、廃棄物処理装置１０を開いて、内部に集められた廃棄物５０を有するライナ素材４４の部分を取り除く必要がある。ユーザは、ロック装置１２６を動作させ、ヒンジ１２４を中心として上側ハウジング１４を回転させることによって、廃棄物処理装置１０を開く。ユーザがヒンジ１２４を中心として上側ハウジング１４を回転させたとき、さらなるライナ素材４４が、カセットから取り出される。
【００７０】
ライナ素材４４の残りの部分から内部に集められた廃棄物５０を有するライナ素材４４の部分を分離するために、廃棄物処理装置１０は、図２１ないし図２３に示されるカッタアセンブリ１６０を有することができる。好ましくは、この場合、カッタアセンブリ１６０は、ユーザにカッタアセンブリへの容易なアクセスを与えるために、カッタアセンブリが上側ハウジングと一緒に揺動するように、上側ヒンジ部材１３０で上側ハウジング１４に取着されている。
【００７１】
カッタアセンブリ１６０は、前方部材１６２と、後方部材１６４と、切断縁１６８を備えたブレード１６６とを有する。前方及び後方部材１６２、１６４は、ライナ開口１７０を有する。ブレード１６６は、前方部材１６２と後方部材の１６２との間に取着されており、ブレードの縁１６８は、前方及び後方部材によって保護されるか遮蔽されるが、開口１７０のところで露出される。使用の際は、ユーザは、ライナ素材が縁１６８によって切断されるように、切断方向（Ｄ）に開口１７０へとライナ素材４４を摺動させることができる。
【００７２】
ライナ素材４４が切断された後、廃棄物５０を収容しているライナ素材の開口端は、ノットを使用して閉じられることができ、廃棄されることができる。さらに、装置１０内の残りのライナ素材４４の部分の開口端は、上述のように、例えば、ノット４６で閉じられることができる。
【００７３】
本開示のいくつかの実施の形態では、廃棄物処理装置１０の少なくとも１つの構成要素は、構成要素の材料に直接組み込まれた抗菌添加剤を含むことができる。例えば、廃棄物処理装置１０のさまざまな構成要素は、ポリマかプラスチック材料に直接組み込まれた抗菌添加剤を含むポリマかプラスチック材料により形成されることができる。本開示で使用される適切な抗生物質は、限定的ではないが、商標名マイクロバン（登録商標）の下で売られているもの、及び商標名ウルトラフレッシュ（登録商標）の下で売られているものを含む。
【００７４】
さらに、限定的ではないが、銅（Ｃｕ）や銀（Ａｇ）のような多くの重金属が、抗菌効果を有することが知られている。特に、特別な理論に結び付けられているわけではないが、このような重金属の塩類は、抗菌の効果を有すると信じられている。一例として、ウルトラフレッシュ（登録商標）ＳＡ−１８は、本開示に有用である銀の反応性の乏しい抗生物質である。
【００７５】
いくつかの実施の形態では、装置１０の構成要素は、ポリプロピレン、アクリロニトリルブタジエンスチレン（ＡＢＳ）材料、又はこれらの組合せでできていることができる。従って、プラスチック又はポリマに直接混合された少なくとも１つの抗菌物質を含むために、限定的ではないが、上側ハウジング１４、下側ハウジング１２、ふた１６、フットペダル１８、シュラウド２０、押圧ロッド２２、２４、バケツアセンブリ３４、カセット４２、ライナ素材４４、圧力感知接着システム５６、又はこれらの組合せのような装置１０のプラスチック又はポリマ構成要素が、本開示によって考えられ得る。一実施の形態では、金属粒子を含む少なくとも１つの抗生物質が、プラスチック又はポリマに直接混合されており、これにより、金属粒子の少なくとも一部分が、プラスチックかポリマから突出している。
【００７６】
さらに、構成要素の表面上に直接組み込まれた抗菌添加剤を含める装置１０の構成要素が、本開示によって考えられ得る。
【００７７】
このようにして、廃棄物処理装置１０は、装置から出る臭気をさらに低減させる、又は緩和する抗菌添加剤を含む構成要素の内面及び外面での微生物の増加を抑制することができる。
【００７８】
本開示は、バケツアセンブリ３４の代表的な実施の形態を単に含む廃棄物処理装置１０を示しており、第１及び第２ピンチクロージャ５４、６４は、第１及び第２のバケツ部分３８、４０によって形成されていることが認識されるべきである。もちろん、ふた１６が閉位置にあるとき、第１のピンチクロージャ５４を、また、ふた１６が開位置にあるとき、第２のピンチクロージャ６４を、それぞれ形成し、結果としてフットペダル１８の簡単な動きを与えるように構成されたバケツアセンブリ３４を有する廃棄物処理装置１０が、本開示によって考えられ得る。
【００７９】
例えば、廃棄物処理装置１０に対して使用するためのバケツアセンブリの代わりの代表的な実施の形態が、図２４ないし図４３に示される。
【００８０】
図２４ないし図２７を参照すると、本開示に従うバケツアセンブリの代わりの代表的な実施の形態が、図示され、参照符号２３４によって一般的に参照される。明瞭化の目的のために、廃棄物処理装置１０の諸要素は省略されている。また、バケツアセンブリ２３４は、カセット４２及び上側押圧ロッド２４との関係のみ示されている。
【００８１】
バケツアセンブリ２３４は、第１の部材２３８と、第２の部材２４０とを有する。第１及び第２の部材２３８、２４０は、閉位置、すなわち非使用位置（図２６並びに図２７）と、開位置、すなわち使用位置（図２４並びに図２５）との間の回転のために、バケツフレーム（図示されない）に取着されている。閉位置では、第１及び第２の部材２３８、２４０は、第１のピンチクロージャ２５４を形成し、また、開位置では、第１及び第２の部材は、第２のピンチクロージャ２６４を形成する。
【００８２】
バケツアセンブリ２３４は、第１及び第２の部材２３８、２４０を閉位置に付勢する少なくとも１つの付勢部材２４８を有する。代表的な実施の形態では、この付勢部材２４８は、ねじりばねを有する。
【００８３】
第１及び第２の部材２３８、２４０の各々は、上側押圧ロッド２４の表面２９２と動作的に係合する延在部分２９０を有する。
【００８４】
いくつかの実施の形態では、延在部分２９０と表面２９２との間の動作的な係合は、それぞれ、下向き及び上向きの方向（Ａ、Ｂ）への上側押圧ロッド２４の動きに対して、第１及び第２の部材２３８、２４０を回転させるラックピニオン配置である。他の実施の形態では、延在部分２９０と表面２９２との間の動作的な係合は、上側押圧ロッド２４の動きに対して、第１及び第２の部材２３８、２４０を回転させる摩擦配置であることができる。
【００８５】
第１及び第２の部材２３８、２４０は、いくつかの実施の形態では、各々が、ヒンジ２０６によって互いに取着された下側セクション２０２及び上側セクション２０４により形成されている。通常の使用中、下側セクション２０２及び上側セクション２０４は、互いにほぼ並列の関係にある付勢部材２４８によって維持され、これにより、第１及び第２のバケツ部分２３８、２４０は、ほぼ直線状に形成された部材を規定している。しかし、装置１０内のジャムや他の条件が生じ、第１及び第２のバケツ部分２３８、２４０が、図２４の開位置、すなわち使用位置にあるとき、ユーザは、付勢部材２４８の付勢力、つまりばね力を克服するように、下側セクション２０２を押すことができる。付勢部材２４８の付勢力、つまりばね力は、下側セクション２０２を、ヒンジ２０６を中心として上側セクション２０４に関して回転させる。
【００８６】
付勢部材２４８は、閉位置へと、第１及び第２の部材２３８、２４０を付勢し、上側セクション２０２、２０４を通常のライナ形状に付勢するとして説明されてきたことが理解されるべきである。もちろん、それは、個別の付勢部材２４８によって達成されるこれらの付勢機能のために考えられる。さらに、下側及び上側セクション２０２、２０４は、ヒンジ２０６と一体的に形成されると考えられ、これにより、ヒンジは、それぞれ、第１及び第２の部材２３８、２４０の単に弾性的に変形可能な部分である。
【００８７】
図２８ないし図３１を参照すると、本開示に従うバケツアセンブリの他の代わりの代表的な実施の形態が、図示され、参照符号３３４によって一般的に参照される。ここでも、廃棄物処理装置１０の諸要素は、明瞭化の目的のために省略されている。また、バケツアセンブリ３３４は、カセット４２及び上側押圧ロッド２４との関係のみ示されている。
【００８８】
バケツアセンブリ３３４は、第１の部材３３８と、第２の部材３４０とを有する。第１及び第２の部材３３８、３４０は、閉位置、すなわち非使用位置（図３０並びに図３１）と、開位置、すなわち使用位置（図２８並びに図２９）との間の動きのために、バケツフレーム（図示されない）に取着されている。閉位置では、第１及び第２の部材３３８、３４０は、第１のピンチクロージャ３５４を形成し、また、第１及び第２の部材は、第２のピンチクロージャ３６４を形成する。
【００８９】
第１及び第２の部材３３８、３４０は、下側セクション３０２と上側セクション３０４とにより形成されている。下側セクション３０２は、閉位置と開位置との間の回転のために、バケツフレーム（図示されない）に取着されている。上側セクション３０４は、閉位置と開位置との間の径方向（Ｅ）への動きのために、バケツフレーム（図示されない）に取着されている。
【００９０】
さらに、下側セクション３０２及び上側セクション３０４は、互いに動作的に係合されており、これにより、下側セクションの回転は、径方向（Ｅ）での上側セクションの動きを生じる。いくつかの実施の形態では、下側セクション３０２と上側セクション３０４との間の動作的な係合は、ラックピニオン配置であり、これにより、下側セクションの回転は、上側セクションの径方向の動きを生じる。
【００９１】
バケツアセンブリ３３４は、第１及び第２の部材３３８、３４０を閉位置に付勢するように構成された少なくとも１つの付勢部材３４８を有する。代表的な実施の形態では、付勢部材３４８は、ねじりばねを有する。
【００９２】
第１及び第２の部材３３８、３４０の各々は、上側押圧ロッド２４の表面３９２との動作的に係合する延在部分３９０を有する。
【００９３】
いくつかの実施の形態では、延在部分３９０と表面３９２との間の動作的な係合は、それぞれ、下向き及び上向きの方向（Ａ、Ｂ）に上側押圧ロッド２４の動きに対して、第１及び第２の部材３３８、３４０を回転させるように構成されたラックピニオン配置である。他の実施の形態では、延在部分３９０と表面３９２との間の動作的な係合は、上側押圧ロッド２４の動きに対して第１及び第２の部材３３８、３４０を回転させるように構成された摩擦配置であることができる。
【００９４】
図３２ないし図３５を参照すると、なおも、本開示に従うバケツアセンブリの他の代わりの代表的な実施の形態が、図示され、参照符号４３４によって一般的に参照される。ここでも、廃棄物処理装置１０の諸要素は、明瞭化の目的のために省略されている。また、バケツアセンブリ４３４は、カセット４２及び上側押圧ロッド２４との関係のみ示されている。
【００９５】
バケツアセンブリ４３４は、第１の部材４３８と、第２の部材４４０とを有する。第１及び第２の部材４３８、４４０は、閉位置、すなわち非使用位置（図３４並びに図３５）と、開位置、すなわち使用位置（図３２並びに図３３）との間の動きのためにバケツフレーム（図示されない）に取着されている。閉位置では、第１及び第２の部材４３８、４４０は、第１のピンチクロージャ４５４を形成し、また、第１及び第２の部材は、第２のピンチクロージャ４６４を形成する。
【００９６】
第１及び第２の部材４３８、４４０は、可撓性部材４０２と、リンク機構４０４と、シャフト４０６とを有する。シャフト４０６は、バケツフレーム（図示されない）に回転可能に取着されている。リンク機構４０４は、シャフト４０６を可撓性部材４０２に動作的に接続している。可撓性部材４０２は、凹形状（図３２並びに図３３）と凸形状（図３４並びに図３５）との間で弾性的に逆向きになる。好ましくは、可撓性部材４０２の弾性は、第１及び第２の部材４３８、４４０を閉位置に付勢する。
【００９７】
シャフト４０６は、上側押圧ロッド２４の表面４９２との動作的に係合する延在部分４９０を有する。いくつかの実施の形態では、延在部分４９０と表面４９２との間の動作的な係合は、それぞれ、下向き及び上向きの方向（Ａ、Ｂ）に、上側押圧ロッド２４の動きに対して、第１及び第２の部材４３８、４４０を回転させるラックピニオン配置である。他の実施の形態では、延在部分４９０と表面４９２との間の動作的な係合は、上側押圧ロッド２４の動きに対して、第１及び第２の部材４３８、４４０を回転させる摩擦配置であることができる。
【００９８】
従って、上向きの方向Ｂへの上側押圧ロッド２４の動きは、シャフト４０６の回転をもたらす。シャフト４０６の回転は、可撓性部材４０２の弾性力を克服するリンク機構４０４をもたらし、これにより、可撓性部材は、開位置へ逆向きになる。フットペダルの解放は、可撓性部材を閉位置に戻し、可撓性部材４０２の固有の弾力性の結果として、上側押圧ロッド２４を下向きの方向Ａに動かす。
【００９９】
図３６ないし図３９を参照すると、本開示に従うバケツアセンブリの第５の代表的な実施の形態が、図示され、参照符号５３４によって一般的に参照される。ここでも、廃棄物処理装置１０のさまざま要素は、明瞭化の目的のために省略されている。また、バケツアセンブリ５３４は、カセット４２及び上側押圧ロッド２４との関係のみ示されている。
【０１００】
バケツアセンブリ５３４は、１対の第１の部材５３８と、１対の第２の部材５４０とを有する。第１及び第２の部材５３８、５４０は、閉位置、すなわち非使用位置（図３８並びに図３９）と、開位置、すなわち使用位置（図３６並びに図３７）との間の径方向（Ｅ）の回転の動きのために、バケツフレーム（図示されない）に取着されている。閉位置では、第１の部材５３８は、第１のピンチクロージャ５５４を形成し、また、開位置では、第２の部材５４０は、第２のピンチクロージャ５６４を形成する。
【０１０１】
第１及び第２の部材５３８、５４０の各々は、上側押圧ロッド２４の表面５９２と動作的に係合する延在部分５９０を有する。図示される実施の形態では、表面５９２は、部分５９０が延びたカムスロットとして示されている。この実施の形態では、バケツアセンブリ５３４は、部分５９０も延びた複数のガイド溝５５２を有する固定ガイド板５５０を有する。
【０１０２】
下向きの方向（Ａ）への上側押圧ロッド２４の動きは、図３８に示される閉位置への第１及び第２の部材５３８、５４０を付勢するように、カムスロット５９２とガイド溝５５２との挿入により生じる。反対に、上向きの方向（Ｂ）への上側押圧ロッド２４の動きは、図３６に示される開位置への第１及び第２の部材５３８、５４０を付勢するように、カムスロット５９２とガイド溝５５２との挿入により生じる。
【０１０３】
バケツアセンブリ５３４は、第１及び第２の部材５３８、５４０を閉位置に付勢する少なくとも１つの付勢部材５４８（図３８）を有する。代表的な実施の形態では、付勢部材５４８は、ゴムバンドとして示されている。もちろん、限定的ではないが、テンションばね、圧縮ばね、回転ばね又はこれらの組合せのような他の付勢部材５４８が、本開示によって考えられ得る。
【０１０４】
好ましくは、カムスロット５９２は、第１及び第２の部材５３８、５４０の開閉を、廃棄物処理装置のふた（図示されない）の開閉よりも速く制御する。例えば、カムスロット５９２は、ふたが廃棄物処理装置からの臭気の放出を緩和するために、完全に開かれる前に、第２のピンチクロージャ５６４が形成されるように形成することができる。さらに、カムスロット５９２は、ふたが廃棄物処理装置からの臭気の放出を緩和するために完全に閉じられる前に、第１のピンチクロージャ５５４が形成されるように形成することができる。
【０１０５】
いくつかの実施の形態では、第１及び第２の部材５３８、５４０の少なくとも一方は、それぞれ、第１及び第２のピンチクロージャ５５４、５６４を助けるように、これに配置された弾性カバー５５６（図３９）を有することができる。一例として、弾性カバー５５６は、第１及び第２の部材５３８、５４０の少なくとも一方に配置された閉じられたフォーム部材を含むことができる。
【０１０６】
図４０ないし図４３を参照すると、本開示に従うバケツアセンブリの他の代わりの代表的な実施の形態が、図示され、参照符号６３４によって一般的に参照される。明瞭化の目的のために、廃棄物処理装置１０の諸要素は省略されている。バケツアセンブリ６３４は、バケツフレーム３６と、第１のバケツ部材６３８と、第２のバケツ部材６４０とを有する。バケツフレーム３６は、図１ないし図２３に関して上で詳しく説明されているので、以下では、バケツフレームのさらなる説明は省略される。
【０１０７】
第１及び第２バケツ部材６３８、６４０は、開位置、すなわち使用位置（図４０ないし図４２）と、閉位置、すなわち非使用位置（図４３）との間の回転のために、バケツフレーム３６に取着されている。図４３の閉位置では、第１及び第２の部材６３８、６４０は、第１のピンチクロージャ６５４を形成し、また、開位置では、第１及び第２の部材６３８、６４０は、第２のピンチクロージャ６６４を形成する。
【０１０８】
従って、廃棄物処理装置が閉じているとき、第１のピンチクロージャ６５４は、内側保管領域内の廃棄物からの臭気の放出を緩和する。
【０１０９】
第１のピンチクロージャ６５４は、第１及び第２のバケツ部分６３８、６４０の前縁６５８、６６０によってそれぞれ規定される。好ましくは、これら前縁６５８、６６０の各々は、補足的な非平面形状を有する。このようにして、これら前縁６５８、６６０は、より長いピンチクロージャを規定し、そうでなければ、平らな前縁が設けられる。図示される実施の形態では、これら前縁６５８、６６０の各々は、補足的な波状形を有する。もちろん、限定的ではないが、方形波パターン、のこぎり歯パターン及びこれらの組合せのような、補足的な非平面形状の前縁６５８、６６０を各々が有することが本開示によって考えられる。
【０１１０】
第１のピンチクロージャ６５４の圧力は、付勢部材４８（図１１）のばね力によって維持される。いくつかの実施の形態では、装置１０は、第１のピンチクロージャ６５４に、約０．５ポンド（約２２６．８グラム）ないし約５ポンド（約２．２６８キログラム）の、好ましくは約１．２５ポンド（約５６７グラム）ないし約２ポンド（約９０７．２グラム）、及びこれらの間の全てのサブレンジのクロージング力を与える。他の実施の形態では、第１のピンチクロージャ６５４は、約０．４０平方インチ（ｉｎ２）（約２．５８１平方センチメートル）ないし約１．５０ｉｎ２（約９．６７７平方センチメートル）、好ましくは約０．７０ｉｎ２（約４．５１６平方センチメートル）及びこれらの間のサブレンジの表面積を有するシールを与える。
【０１１１】
第２のピンチクロージャ６６４は、廃棄物処理装置が使用中に開かれたとき、内側保管領域内の廃棄物からの臭気の放出を緩和する。開位置では、廃棄物は、ノットと第２のピンチクロージャ６６４との間のライナ素材内に維持される。第２のピンチクロージャ６６４は、図４０ないし図４２に示されるように、第１及び第２のバケツ部分６３８、６４０の後縁６６８、６７０によってそれぞれ規定される。
【０１１２】
好ましくは、第２のピンチクロージャ６６４は、後縁６６８、６７０の重なり領域６９０によって形成されている。特に、第１のバケツ部分６３８は、第２のバケツ部分６４０の一部分６９４を受けるように構成された窪み領域６９２を有する。
【０１１３】
重なり領域６９０によって形成された第２のピンチクロージャ６６４は、内側保管領域内の廃棄物からの臭気の放出を緩和するように、第２のピンチクロージャの表面積をさらに大きくすることが、本開示によって決定される。
【０１１４】
いくつかの実施の形態では、第２のピンチクロージャ６６０は、さらに、第１及び第２のバケツ部分６３８、６４０の後縁６６８、６７０によってそれぞれ規定される。好ましくは、これら後縁６６８、６７０の各々は、補足的な非平面形状を有する。このようにして、後縁６６８、６７０は、より長いピンチクロージャを規定し、そうでなければ、平らな後縁が設けられる。図示される実施の形態では、これら後縁６６８、６７０の各々は、補足的な波状形を有する。もちろん、限定的ではないが、方形波パターン、のこぎり歯パターン及びこれらの組合せのような、補足的な非平面形状の後縁６６８、６７０を各々が有することが本開示によって考えられ得る。
【０１１５】
第２のピンチクロージャ６６４の圧力は、上で説明されるようなフットペダル１８にユーザによって加えられた圧力によって規定される。
【０１１６】
重なり領域６９０と、非平面の後縁６６８、６７０との両方を有する第２のピンチクロージャ６６４は、約２．５０ｉｎ２（約１６．１２９平方センチメートル）ないし約３．００ｉｎ２（約１９．３５５平方センチメートル）、好ましくは２．９０ｉｎ２（約１８．７１０平方センチメートル）及びこれらの間のサブレンジの表面積を有するシールを与える。
【０１１７】
第１のピンチクロージャ６５４は、補足的な非平面の前縁６５８、６６０を有する例によってここに説明されていることが理解されるべきである。しかし、図４４に示されるような重なり領域６９０をさらに有する第１のピンチクロージャ６５４が本開示によって考えられ得る。さらに、第２のピンチクロージャ６６４が、補足的な非平面の後縁６６８、６７０のみを有するように、第２のピンチクロージャ６６４から省略された重なり領域６９０が本開示によって考えられ得る。
【０１１８】
「第１」、「第２」、「第３」、「上側」、「下側」並びに同様の用語は、諸要素を変更するためにここに使用されることができることが注意されるべきである。このような変更は、特に述べない限り、変更される要素に関して、空間的な、連続的な、又は階層的な順序を含まない。本開示は、少なくとも１つの代表的な実施の形態を参照して説明されてきたが、さまざまな変更が行われてもよいこと、及び、均等物が、本開示の範囲から逸脱することなく、本開示の要素の代わりに用いられることができることが、当業者によって理解されるであろう。さらに、多くの変更が、本開示の範囲から逸脱することなく、特別の状況や材料を適応させるために、本開示の教示になされてもよい。従って、本開示は、熟考された最良の形態として示された特別の実施の形態に限定されることなく、添付の特許の範囲内にある実施の形態を全て含むことが意図されている。
【図１】
2011504439.tif 000003
【図２】
2011504439.tif 000004
【図３】
2011504439.tif 000005
【図４】
2011504439.tif 000006
【図５】
2011504439.tif 000007
【図６】
2011504439.tif 000008
【図７】
2011504439.tif 000009
【図８】
2011504439.tif 000010
【図９】
2011504439.tif 000011
【図１０】
2011504439.tif 000012
【図１１】
2011504439.tif 000013
【図１２】
2011504439.tif 000014
【図１３】
2011504439.tif 000015
【図１４】
2011504439.tif 000016
【図１５】
2011504439.tif 000017
【図１６】
2011504439.tif 000018
【図１７】
2011504439.tif 000019
【図１８Ａ】
2011504439.tif 000020
【図１８Ｂ】
2011504439.tif 000021
【図１９】
2011504439.tif 000022
【図２０】
2011504439.tif 000023
【図２１】
2011504439.tif 000024
【図２２】
2011504439.tif 000025
【図２３】
2011504439.tif 000026
【図２４】
2011504439.tif 000027
【図２５】
2011504439.tif 000028
【図２６】
2011504439.tif 000029
【図２７】
2011504439.tif 000030
【図２８】
2011504439.tif 000031
【図２９】
2011504439.tif 000032
【図３０】
2011504439.tif 000033
【図３１】
2011504439.tif 000034
【図３２】
2011504439.tif 000035
【図３３】
2011504439.tif 000036
【図３４】
2011504439.tif 000037
【図３５】
2011504439.tif 000038
【図３６】
2011504439.tif 000039
【図３７】
2011504439.tif 000040
【図３８】
2011504439.tif 000041
【図３９】
2011504439.tif 000042
【図４０】
2011504439.tif 000043
【図４１】
2011504439.tif 000044
【図４２】
2011504439.tif 000045
【図４３】
2011504439.tif 000046
【図４４】
2011504439.tif 000047
【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
開口端と閉塞端とを有するライナ素材内に廃棄物を集めるための廃棄物処理装置であって、
内側保管領域へのアクセスを可能にする開口を有するハウジングと、
開位置と閉位置との間の動きのために、前記開口のところで前記ハウジングに枢動可能に取着されたふたと、
前記開口のところに位置されたバケツフレームと、
使用位置と非使用位置との間の動きのために、前記バケツフレームに枢動可能に取着された１対の部材と、
上側位置と下側位置との間の動きのために、前記ハウジングに枢動可能に取着されたフットペダルと、を具備し、
前記フットペダルは、このフットペダルが前記上側位置にあるとき、前記ふたが前記閉位置にあり、かつ前記１対の部材が前記非使用位置にあるように、前記ふた及び１対の部材と動作的に関連しており、また、
前記フットペダルは、このフットペダルが前記下側位置にあるとき、前記ふたが前記開位置にあり、かつ前記１対の部材が前記使用位置にあるように、前記ふた及び１対の部材と動作的に関連しており、
前記１対の部材は、
前記使用位置において、前記１対の部材の間に延びた前記ライナ素材の第１のピンチクロージャと、
前記非使用位置において、前記１対の部材の間に延びた前記ライナ素材の第２のピンチクロージャと、のみを形成する廃棄物処理装置。
【請求項２】
前記バケツフレームは、前記ライナ素材の前記閉塞端が前記１対の部材の下にあるように、前記ライナ素材が前記１対の部材の間に延びた状態で、前記１対の部材の上に、前記ライナ素材の前記開口端を取着する請求項１の廃棄物処理装置。
【請求項３】
前記１対の部材を前記非使用位置に通常付勢するために、前記１対の部材と動作的に関連している少なくとも１つの付勢部材をさらに具備する請求項１又は２の廃棄物処理装置。
【請求項４】
前記１対の部材は、前記少なくとも１つの付勢部材が、前記フットペダルを前記上側位置に、かつ前記ふたを前記閉位置に通常付勢するように、前記フットペダル及びふたと動作的に関連している請求項３の廃棄物処理装置。
【請求項５】
カセットをさらに具備し、
このカセットは、カセットから回収するためのライナ素材の所定の長さ部分を収容するように構成されており、
前記バケツフレームは、内部に前記カセットを取り外し可能に受けるように構成されている請求項１ないし４のいずれか１の廃棄物処理装置。
【請求項６】
前記１対の部材は、前記ライナ素材の圧力感知接着システムを動作させるのに十分な圧力で、前記ライナ素材の前記第１のピンチクロージャを形成する請求項１ないし５のいずれか１の廃棄物処理装置。
【請求項７】
前記１対の部材は、前記ライナ素材の前記圧力感知接着システムを動作させるのに十分な圧力で、前記ライナ素材の前記第２のピンチクロージャを形成する請求項６の廃棄物処理装置。
【請求項８】
前記１対の部材は、前記ライナ素材の圧力感知接着システムを動作させるのに十分な圧力で、前記ライナ素材の前記第２のピンチクロージャを形成する請求項１ないし５のいずれか１の廃棄物処理装置。
【請求項９】
前記１対の部材は、前記ライナ素材の前記圧力感知接着システムを動作させるのに十分な圧力で、前記ライナ素材の前記第２のピンチクロージャを形成する請求項８の廃棄物処理装置。
【請求項１０】
前記１対の部材を前記非使用位置に通常付勢するために、前記１対の部材の各々と動作的に関連している少なくとも１つの付勢部材をさらに具備する請求項１又は２の廃棄物処理装置。
【請求項１１】
前記１対の部材は、前記少なくとも１つの付勢部材が、前記フットペダルを前記上側位置に、かつ前記ふたを前記閉位置に通常付勢するように、前記フットペダル及びふたと動作的に関連している請求項１０の廃棄物処理装置。
【請求項１２】
前記１対の部材の少なくとも１つが前記非使用位置にないとき、インジケータ装置を駆動させる報知システムをさらに具備する請求項１ないし１１のいずれか１の廃棄物処理装置。
【請求項１３】
前記報知システムは、
電源と、
前記電源の使用を最小にするように構成された回路と、をさらに有する請求項１２の廃棄物処理装置。
【請求項１４】
前記ふたが前記閉位置にあるが、前記１対の部材の少なくとも１つが前記非使用位置にないとき、インジケータ装置を駆動させる報知システムをさらに具備する請求項１ないし１１のいずれか１の廃棄物処理装置。
【請求項１５】
前記報知システムは、
電源と、
前記電源の使用を最小にするように構成された回路と、をさらに有する請求項１４の廃棄物処理装置。
【請求項１６】
前記ハウジング、前記ふた、前記バケツフレーム、前記１対の部材、前記フットペダル及びこれらの組合せからなるグループから選択された構成要素の材料に直接組み込まれた抗菌添加剤をさらに含む請求項１ないし１５のいずれか１の廃棄物処理装置。
【請求項１７】
前記抗菌添加剤は、銅、銀及びこれらの組合せからなるグループから選択された重金属を含む請求項１６の廃棄物処理装置。
【請求項１８】
前記内側保管領域内にライナカッタをさらに具備する請求項１ないし１７のいずれか１の廃棄物処理装置。
【請求項１９】
前記第１のピンチクロージャは、約０．５ポンド（約２２６．８グラム）ないし約５ポンド（約２．２６８キログラム）のクロージング力を有する請求項１ないし１８のいずれか１の廃棄物処理装置。
【請求項２０】
前記第１のピンチクロージャは、約１．２５ポンド（約５６７グラム）ないし約２ポンド（約９０７．２グラム）のクロージング力を有する請求項１ないし１８のいずれか１の廃棄物処理装置。
【請求項２１】
前記第１のピンチクロージャは、約０．２５平方インチ（約１．６１３平方センチメートル）ないし約０．５平方インチ（約３．２２６平方センチメートル）の表面積を有するシールを与える請求項１ないし２０のいずれか１の廃棄物処理装置。
【請求項２２】
前記第１のピンチクロージャは、約０．３７５平方インチ（約２．４２０平方センチメートル）の表面積を有するシールを与える請求項１ないし２０のいずれか１の廃棄物処理装置。
【請求項２３】
前記第２のピンチクロージャは、約０．５ポンド（約２２６．８グラム）ないし約５ポンド（約２．２６８キログラム）のクロージング力を有する請求項１ないし２２のいずれか１の廃棄物処理装置。
【請求項２４】
前記第２のピンチクロージャは、約３．５ポンド（約１．５８８キログラム）ないし約４．５ポンド（約２．０４１キログラム）のクロージング力を有する請求項１ないし２２のいずれか１の廃棄物処理装置。
【請求項２５】
前記第２のピンチクロージャは、約０．２５平方インチ（約１．６１３平方センチメートル）ないし約０．５平方インチ（約３．２２６平方センチメートル）の表面積を有するシールを与える請求項１ないし２４のいずれか１の廃棄物処理装置。
【請求項２６】
前記第２のピンチクロージャは、約０．３７５平方インチ（約２．４１９平方センチメートル）の表面積を有するシールを与える請求項１ないし２４のいずれか１の廃棄物処理装置。
【請求項２７】
廃棄物処理装置中の廃棄物を処理する方法であって、
前記廃棄物処理装置が非使用位置にあるとき、ライナ素材に、この内部に集められた廃棄物を有する内側保管領域の上にある第１のピンチシールを形成するように、第１の位置に１対の部材を枢動させることと、
前記廃棄物処理装置が使用位置にあるとき、ライナ素材に、この内部に集められた廃棄物を有する前記内側保管領域の上にある第２のピンチシールを形成するように、第２の位置に前記１対の部材を枢動させることと、を具備する方法。
【請求項２８】
前記廃棄物処理装置を前記非使用位置に通常付勢することをさらに具備する請求項２７の方法。
【請求項２９】
フットペダルが上側位置にあるとき、ふたが閉位置にあり、かつ前記１対の部材が前記第１のピンチシールを形成するように、また、前記フットペダルが下側位置にあるとき、前記ふたが開位置にあり、かつ前記１対の部材が前記第２のピンチシールを形成するように、前記フットペダルと前記ふたとを、前記１対の部材に動作的に接続することをさらに具備する請求項２８の方法。
【請求項３０】
前記フットペダルが前記上側位置にあり、前記ふたが前記閉位置にあり、かつ前記１対の部材が前記第１のピンチシールを形成するように、前記廃棄物処理装置を前記非使用位置に通常付勢することをさらに具備する請求項２９の方法。
【請求項３１】
前記１対の部材の少なくとも１つが前記第１の位置にないとき、インジケータ装置を駆動させることをさらに具備する請求項３０の方法。
【請求項３２】
電源の使用を最小にするように前記インジケータ装置の駆動を制御することをさらに具備する請求項３１の方法。
【請求項３３】
前記ふたが前記閉位置にあるが、前記１対の部材の少なくとも１つが前記第１の位置にないとき、インジケータ装置を駆動させることをさらに具備する請求項３０ないし３２のいずれか１の方法。
【請求項３４】
電源の使用を最小にするように前記インジケータ装置の駆動を制御することをさらに具備する請求項３３の方法。
【請求項３５】
前記ライナ素材が、前記第１のピンチクロージャ、前記第２のピンチクロージャ、及びこれらの組合せによって加えられた圧力によりそれ自体に密着して封止されることをさらに具備する請求項２７ないし３４のいずれか１の方法。
【請求項３６】
前記廃棄物処理装置の少なくとも１つの構成要素の材料に抗菌添加剤を直接組み込むことをさらに具備する請求項２７ないし３５のいずれか１の方法。
【請求項３７】
下側ハウジングと、
上側ハウジングと、
前記下側ハウジングが、開位置と、内側保管領域を規定している閉位置との間で、前記上側ハウジングに対して、前記内側保管領域の外側にある所定の軸線を中心として枢動するように、前記上側及び下側ハウジングに取着されるように構成されたヒンジと、
前記上側ハウジングに枢動可能に取着されたふたと、
前記下側ハウジングに枢動可能に取着されたフットペダルと、
前記フットペダルと動作的に関連している下端を有する下側押圧ロッドと、
前記ふたと動作的に関連している上端を有する上側押圧ロッドと、を具備し、
前記上側及び下側押圧ロッドは、前記閉位置にあるとき、前記内側保管領域で、互いに動作的に関連し、前記開位置にあるとき、互いに関連しない相互作用端部を有する廃棄物処理装置。
【請求項３８】
前記下側ハウジングに下側押圧ロッドガイドをさらに具備する請求項３７の廃棄物処理装置。
【請求項３９】
前記上側ハウジングに上側押圧ロッドガイドをさらに具備する請求項３７又は３８の廃棄物処理装置。
【請求項４０】
バケツフレームと、
使用位置と非使用位置との間の動きのために、前記バケツフレームに取着された１対の部材と、をさらに具備する請求項３７ないし３９のいずれか１の廃棄物処理装置。
【請求項４１】
前記１対の部材は、前記フットペダルが上側位置にあるとき、前記ふたが閉位置にあり、かつ前記１対の部材が前記非使用位置にあるように、前記上側押圧ロッドと動作的に関連しており、また、
前記１対の部材は、前記フットペダルが下側位置にあるとき、前記ふたが開位置にあり、かつ前記１対の部材が前記使用位置にあるように、前記上側押圧ロッドと動作的に関連している請求項４０の廃棄物処理装置。
【請求項４２】
前記バケツフレームは、ライナ素材が前記１対の部材の間に延びた状態で、前記１対の部材の上のライナ素材に取着する請求項４０又は４１の廃棄物処理装置。
【請求項４３】
前記１対の部材は、前記使用位置において、前記１対の部材間に延びた前記ライナ素材の第１のピンチクロージャを形成し、また、
前記１対の部材は、前記非使用位置において、前記１対の部材間に延びた前記ライナ素材の第２のピンチクロージャを形成する請求項４０ないし４２のいずれか１の廃棄物処理装置。
【請求項４４】
前記１対の部材を前記非使用位置に通常付勢するように、前記１対の部材と動作的に関連している少なくとも１つの付勢部材をさらに具備する請求項４０ないし４３のいずれか１の廃棄物処理装置。
【請求項４５】
前記１対の部材は、前記少なくとも１つの付勢部材が、前記フットペダルを前記上側位置に、かつ前記ふたを前記閉位置に通常付勢するように、前記フットペダル及びふたと動作的に関連している請求項４０ないし４４のいずれか１の廃棄物処理装置。
【請求項４６】
前記バケツフレームと一体的に形成された第２の上側押圧ロッドガイドをさらに具備する請求項４０ないし４５のいずれか１の廃棄物処理装置。
【請求項４７】
前記上側ハウジング、前記下側ハウジング、前記上側押圧ロッド、前記下側押圧ロッド、前記ふた、前記バケツフレーム、前記１対の部材、前記フットペダル及びこれらの組合せからなるグループから選択された構成要素の材料に直接組み込まれた抗菌添加剤をさらに具備する請求項４０ないし４６のいずれか１の廃棄物処理装置。
【請求項４８】
前記抗菌添加剤は、銅、銀及びこれらの組合せからなるグループから選択された重金属を含む請求項４７の廃棄物処理装置。
【請求項４９】
前記内側保管領域内にライナカッタをさらに具備する請求項３７ないし４８のいずれか１の廃棄物処理装置。
【請求項５０】
カセットをさらに具備し、
このカセットは、カセットから回収するためのライナ素材の所定の長さ部分を収容するように構成されており、
前記バケツフレームは、内部にカセットを取り外し可能に受ける請求項３７ないし４９のいずれか１の廃棄物処理装置。
【請求項５１】
前記第１のピンチクロージャと第２のピンチクロージャとの少なくとも一方が、非平面のピンチクロージャを有する請求項１ないし２６のいずれか１の廃棄物処理装置。
【請求項５２】
前記第１のピンチクロージャと第２のピンチクロージャとの少なくとも一方が、重なったピンチクロージャをさらに有する請求項５１の廃棄物処理装置。
【請求項５３】
前記第１のピンチクロージャと第２のピンチクロージャとの少なくとも一方が、重なったピンチクロージャを含む請求項１ないし２６のいずれか１の廃棄物処理装置。
【請求項５４】
前記第１のピンチクロージャと第２のピンチクロージャとの少なくとも一方が、非平面のピンチクロージャを有する請求項５３の廃棄物処理装置。
【手続補正２】
【補正対象書類名】明細書
【補正対象項目名】０００１
【補正方法】削除
【補正の内容】
【手続補正３】
【補正対象書類名】明細書
【補正対象項目名】０１１８
【補正方法】変更
【補正の内容】
【０１１８】
「第１」、「第２」、「第３」、「上側」、「下側」並びに同様の用語は、諸要素を変更するためにここに使用されることができることが注意されるべきである。このような変更は、特に述べない限り、変更される要素に関して、空間的な、連続的な、又は階層的な順序を含まない。本開示は、少なくとも１つの代表的な実施の形態を参照して説明されてきたが、さまざまな変更が行われてもよいこと、及び、均等物が、本開示の範囲から逸脱することなく、本開示の要素の代わりに用いられることができることが、当業者によって理解されるであろう。さらに、多くの変更が、本開示の範囲から逸脱することなく、特別の状況や材料を適応させるために、本開示の教示になされてもよい。従って、本開示は、熟考された最良の形態として示された特別の実施の形態に限定されることなく、添付の特許の範囲内にある実施の形態を全て含むことが意図されている。
以下に、本願の出願当初の特許請求の範囲に記載された発明を付記する。
［１］開口端と閉塞端とを有するライナ素材内に廃棄物を集めるための廃棄物処理装置であって、内側保管領域へのアクセスを可能にする開口を有するハウジングと、開位置と閉位置との間の動きのために、前記開口のところで前記ハウジングに枢動可能に取着されたふたと、前記開口のところに位置されたバケツフレームと、使用位置と非使用位置との間の動きのために、前記バケツフレームに枢動可能に取着された１対の部材と、上側位置と下側位置との間の動きのために、前記ハウジングに枢動可能に取着されたフットペダルと、を具備し、前記フットペダルは、このフットペダルが前記上側位置にあるとき、前記ふたが前記閉位置にあり、かつ前記１対の部材が前記非使用位置にあるように、前記ふた及び１対の部材と動作的に関連しており、また、前記フットペダルは、このフットペダルが前記下側位置にあるとき、前記ふたが前記開位置にあり、かつ前記１対の部材が前記使用位置にあるように、前記ふた及び１対の部材と動作的に関連している廃棄物処理装置。
［２］前記バケツフレームは、前記ライナ素材の前記閉塞端が前記１対の部材の下にあるように、前記ライナ素材が前記１対の部材の間に延びた状態で、前記１対の部材の上に、前記ライナ素材の前記開口端を取着する［１］の廃棄物処理装置。
［３］前記１対の部材は、前記使用位置において、前記１対の部材の間に延びた前記ライナ素材の第１のピンチクロージャを形成し、また、前記１対の部材は、前記非使用位置において、前記１対の部材の間に延びた前記ライナ素材の第２のピンチクロージャを形成する［２］の廃棄物処理装置。
［４］前記１対の部材を前記非使用位置に通常付勢するために、前記１対の部材と動作的に関連している少なくとも１つの付勢部材をさらに具備する［３］の廃棄物処理装置。
［５］前記１対の部材は、前記少なくとも１つの付勢部材が、前記フットペダルを前記上側位置に、かつ前記ふたを前記閉位置に通常付勢するように、前記フットペダル及びふたと動作的に関連している［４］の廃棄物処理装置。
［６］カセットをさらに具備し、このカセットは、カセットから回収するためのライナ素材の所定の長さ部分を収容するように構成されており、前記バケツフレームは、内部に前記カセットを取り外し可能に受けるように構成されている［２］の廃棄物処理装置。
［７］前記１対の部材は、前記ライナ素材の圧力感知接着システムを動作させるのに十分な圧力で、前記ライナ素材の前記第１のピンチクロージャを形成する［６］の廃棄物処理装置。
［８］前記１対の部材は、前記ライナ素材の圧力感知接着システムを動作させるのに十分な圧力で、前記ライナ素材の前記第２のピンチクロージャを形成する［７］の廃棄物処理装置。
［９］前記１対の部材は、前記ライナ素材の圧力感知接着システムを動作させるのに十分な圧力で、前記ライナ素材の前記第２のピンチクロージャを形成する［６］の廃棄物処理装置。
［１０］前記１対の部材は、前記ライナ素材の圧力感知接着システムを動作させるのに十分な圧力で、前記ライナ素材の前記第２のピンチクロージャを形成する［９］の廃棄物処理装置。
［１１］前記１対の部材を前記非使用位置に通常付勢するために、前記１対の部材の各々と動作的に関連している少なくとも１つの付勢部材をさらに具備する［１］の廃棄物処理装置。
［１２］前記１対の部材は、前記少なくとも１つの付勢部材が、前記フットペダルを前記上側位置に、かつ前記ふたを前記閉位置に通常付勢するように、前記フットペダル及びふたと動作的に関連している［１１］の廃棄物処理装置。
［１３］前記１対の部材の少なくとも１つが前記非使用位置にないとき、インジケータ装置を駆動させる報知システムをさらに具備する［１］の廃棄物処理装置。
［１４］前記報知システムは、電源と、前記電源の使用を最小にするように構成された回路と、をさらに有する［１３］の廃棄物処理装置。
［１５］前記ふたが前記閉位置にあるが、前記１対の部材の少なくとも１つが前記非使用位置にないとき、インジケータ装置を駆動させる報知システムをさらに具備する［１］の廃棄物処理装置。
［１６］前記報知システムは、電源と、前記電源の使用を最小にするように構成された回路と、をさらに有する［１５］の廃棄物処理装置。
［１７］前記ハウジング、前記ふた、前記バケツフレーム、前記１対の部材、前記フットペダル及びこれらの組合せからなるグループから選択された構成要素の材料に直接組み込まれた抗菌添加剤をさらに含む［１］の廃棄物処理装置。
［１８］前記抗菌添加剤は、銅、銀及びこれらの組合せからなるグループから選択された重金属を含む［１７］の廃棄物処理装置。
［１９］前記内側保管領域内にライナカッタをさらに具備する［１］の廃棄物処理装置。
［２０］前記第１のピンチクロージャは、約０．５ポンド（約２２６．８グラム）ないし約５ポンド（約２．２６８キログラム）のクロージング力を有する［３］の廃棄物処理装置。
［２１］前記第１のピンチクロージャは、約１．２５ポンド（約５６７グラム）ないし約２ポンド（約９０７．２グラム）のクロージング力を有する［３］の廃棄物処理装置。
［２２］前記第１のピンチクロージャは、約０．２５平方インチ（約１．６１３平方センチメートル）ないし約０．５平方インチ（約３．２２６平方センチメートル）の表面積を有するシールを与える［３］の廃棄物処理装置。
［２３］前記第１のピンチクロージャは、約０．３７５平方インチ（約２．４２０平方センチメートル）の表面積を有するシールを与える［３］の廃棄物処理装置。
［２４］前記第２のピンチクロージャは、約０．５ポンド（約２２６．８グラム）ないし約５ポンド（約２．２６８キログラム）のクロージング力を有する［３］の廃棄物処理装置。
［２５］前記第２のピンチクロージャは、約３．５ポンド（約１．５８８キログラム）ないし約４．５ポンド（約２．０４１キログラム）のクロージング力を有する［３］の廃棄物処理装置。
［２６］前記第２のピンチクロージャは、約０．２５平方インチ（約１．６１３平方センチメートル）ないし約０．５平方インチ（約３．２２６平方センチメートル）の表面積を有するシールを与える［３］の廃棄物処理装置。
［２７］前記第２のピンチクロージャは、約０．３７５平方インチ（約２．４１９平方センチメートル）の表面積を有するシールを与える［３］の廃棄物処理装置。
［２８］廃棄物処理装置中の廃棄物を処理する方法であって、前記廃棄物処理装置が非使用位置にあるとき、ライナ素材に、この内部に集められた廃棄物を有する内側保管領域の上にある第１のピンチシールを形成することと、前記廃棄物処理装置が使用位置にあるとき、ライナ素材に、この内部に集められた廃棄物を有する前記内側保管領域の上にある第２のピンチシールを形成することと、を具備する方法。
［２９］前記廃棄物処理装置を前記非使用位置に通常付勢することをさらに具備する［２８］の方法。
［３０］前記第１及び第２のピンチシールを形成することは、前記第１のピンチシールを形成するために、１対の部材を第１の位置へと枢動させることと、前記第２のピンチシールを形成するために、前記１対の部材を第２の位置へと枢動させることと、を含む［２８］の方法。
［３１］フットペダルが上側位置にあるとき、ふたが閉位置にあり、かつ前記１対の部材が前記第１のピンチシールを形成するように、また、前記フットペダルが下側位置にあるとき、前記ふたが開位置にあり、かつ前記１対の部材が前記第２のピンチシールを形成するように、前記フットペダルと前記ふたとを、前記１対の部材に動作的に接続することをさらに具備する［３０］の方法。
［３２］前記フットペダルが前記上側位置にあり、前記ふたが前記閉位置にあり、かつ前記１対の部材が前記第１のピンチシールを形成するように、前記廃棄物処理装置を前記非使用位置に通常付勢することをさらに具備する［３１］の方法。
［３３］前記１対の部材の少なくとも１つが前記第１の位置にないとき、インジケータ装置を駆動させることをさらに具備する［３２］の方法。
［３４］電源の使用を最小にするように前記インジケータ装置の駆動を制御することをさらに具備する［３３］の方法。
［３５］前記ふたが前記閉位置にあるが、前記１対の部材の少なくとも１つが前記第１の位置にないとき、インジケータ装置を駆動させることをさらに具備する［３２］の方法。
［３６］電源の使用を最小にするように前記インジケータ装置の駆動を制御することをさらに具備する［３５］の方法。
［３７］前記ライナ素材が、前記第１のピンチクロージャ、前記第２のピンチクロージャ、及びこれらの組合せによって加えられた圧力によりそれ自体に密着して封止されることをさらに具備する［２８］の方法。
［３８］前記廃棄物処理装置の少なくとも１つの構成要素の材料に抗菌添加剤を直接組み込むことをさらに具備する［２８］の方法。
［３９］下側ハウジングと、上側ハウジングと、前記下側ハウジングが、開位置と、内側保管領域を規定している閉位置との間で、前記上側ハウジングに対して、前記内側保管領域の外側にある所定の軸線を中心として枢動するように、前記上側及び下側ハウジングに取着されるように構成されたヒンジと、前記上側ハウジングに枢動可能に取着されたふたと、前記下側ハウジングに枢動可能に取着されたフットペダルと、前記フットペダルと動作的に関連している下端を有する下側押圧ロッドと、前記ふたと動作的に関連している上端を有する上側押圧ロッドと、を具備し、前記上側及び下側押圧ロッドは、前記内側保管領域で、互いに動作的に関連している廃棄物処理装置。
［４０］前記下側ハウジングに下側押圧ロッドガイドをさらに具備する［３９］の廃棄物処理装置。
［４１］前記上側ハウジングに上側押圧ロッドガイドをさらに具備する［３９］の廃棄物処理装置。
［４２］バケツフレームと、使用位置と非使用位置との間の動きのために、前記バケツフレームに取着された１対の部材と、をさらに具備する［３９］の廃棄物処理装置。
［４３］前記１対の部材は、前記フットペダルが上側位置にあるとき、前記ふたが閉位置にあり、かつ前記１対の部材が前記非使用位置にあるように、前記上側押圧ロッドと動作的に関連しており、また、前記１対の部材は、前記フットペダルが下側位置にあるとき、前記ふたが開位置にあり、かつ前記１対の部材が前記使用位置にあるように、前記上側押圧ロッドと動作的に関連している［４２］の廃棄物処理装置。
［４４］前記バケツフレームは、ライナ素材が前記１対の部材の間に延びた状態で、前記１対の部材の上のライナ素材に取着する［４３］の廃棄物処理装置。
［４５］前記１対の部材は、前記使用位置において、前記１対の部材間に延びた前記ライナ素材の第１のピンチクロージャを形成し、また、前記１対の部材は、前記非使用位置において、前記１対の部材間に延びた前記ライナ素材の第２のピンチクロージャを形成する［４４］の廃棄物処理装置。
［４６］前記１対の部材を前記非使用位置に通常付勢するように、前記１対の部材と動作的に関連している少なくとも１つの付勢部材をさらに具備する［４２］の廃棄物処理装置。
［４７］前記１対の部材は、前記少なくとも１つの付勢部材が、前記フットペダルを前記上側位置に、かつ前記ふたを前記閉位置に通常付勢するように、前記フットペダル及びふたと動作的に関連している［４６］の廃棄物処理装置。
［４８］前記バケツフレームと一体的に形成された第２の上側押圧ロッドガイドをさらに具備する［４２］の廃棄物処理装置。
［４９］前記上側ハウジング、前記下側ハウジング、前記上側押圧ロッド、前記下側押圧ロッド、前記ふた、前記バケツフレーム、前記１対の部材、前記フットペダル及びこれらの組合せからなるグループから選択された構成要素の材料に直接組み込まれた抗菌添加剤をさらに具備する［４２］の廃棄物処理装置。
［５０］前記抗菌添加剤は、銅、銀及びこれらの組合せからなるグループから選択された重金属を含む［４９］の廃棄物処理装置。
［５１］前記内側保管領域内にライナカッタをさらに具備する［３９］の廃棄物処理装置。
［５２］カセットをさらに具備し、このカセットは、カセットから回収するためのライナ素材の所定の長さ部分を収容するように構成されており、前記バケツフレームは、内部にカセットを取り外し可能に受ける［３９］の廃棄物処理装置。
［５３］廃棄物処理装置のためのカセットであって、増加分の回収のためのチューブ状のストック部である供給部分を具備し、前記チューブ状のストック部は、このチューブ状のストック部の内側に圧力感知接着システムを有するカセット。
［５４］前記カセット、前記チューブ状のストック部、前記圧力感知接着システム及びこれらの組合せからなるグループから選択された構成要素の材料に直接組み込まれた抗菌添加剤をさらに含む［５３］のカセット。
［５５］前記第１のピンチクロージャと第２のピンチクロージャとの少なくとも一方が、非平面のピンチクロージャを有する［３］の廃棄物処理装置。
［５６］前記第１のピンチクロージャと第２のピンチクロージャとの少なくとも一方が、重なったピンチクロージャをさらに有する［５５］の廃棄物処理装置。
［５７］前記第１のピンチクロージャと第２のピンチクロージャとの少なくとも一方が、重なったピンチクロージャを含む［３］の廃棄物処理装置。
［５９］前記第１のピンチクロージャと第２のピンチクロージャとの少なくとも一方が、非平面のピンチクロージャを有する［５７］の廃棄物処理装置。
【国際調査報告】
2011504439.tif 000048